(57)【要約】【課題】【解決手段】本出願は、内部空間を均一に照明することができる冷蔵庫を開示する。本出願は、所定大きさの貯蔵室を有するキャビネットと、上記貯蔵室内に取り付けられ、上記貯蔵室内を照明するように構成された光源部を有する棚と、外部電源と接続され、無線で電力を伝送するように構成され、所定範囲の１次共振周波数を有する送信部と、上記送信部から無線で電力を受信して上記棚の光源部に供給するように構成される受信部と、を有し、上記送信部は、上記受信部が上記送信部に近接して配置されるときに発生する２次共振周波数を用いて上記受信部に電力を伝送する冷蔵庫を提供することができる。【選択図】  図１
2019502080.tif 000002
【特許請求の範囲】
【請求項１】
所定大きさの貯蔵室を有するキャビネットと、
前記貯蔵室内に取り付けられ、前記貯蔵室内を照明するように構成された光源部を有する棚と、
外部電源と接続され、無線で電力を伝送するように構成され、所定範囲の１次共振周波数を有する送信部と、
前記送信部から無線で電力を受信して前記棚の光源部に供給するように構成される受信部と、を有し、
前記送信部は、前記受信部が前記送信部に近接して配置されるときに発生する２次共振周波数を用いて前記受信部に電力を伝送する、冷蔵庫。
【請求項２】
前記２次共振周波数は前記１次共振周波数より大きい、請求項１に記載の冷蔵庫。
【請求項３】
前記２次共振周波数は前記１次共振周波数の２倍より大きい、請求項１に記載の冷蔵庫。
【請求項４】
前記１次共振周波数は１００〜１５０ｋＨｚの範囲を有し、前記２次共振周波数は３００〜４００ｋＨｚの範囲を有する、請求項１に記載の冷蔵庫。
【請求項５】
前記受信部は、前記２次共振周波数を生成するために、前記光源部の負荷の抵抗によって前記負荷に接続されるコンデンサの容量を調節するように構成される、請求項１に記載の冷蔵庫。
【請求項６】
前記受信部は、前記光源部の負荷の抵抗によって前記負荷に直列及び／又は並列に接続されるコンデンサを有する、請求項５に記載の冷蔵庫。
【請求項７】
前記送信部と受信部とは、互いに向き合うように前記貯蔵室の側壁と前記棚の側部とにそれぞれ提供される、請求項１に記載の冷蔵庫。
【請求項８】
前記棚は、棚部材と前記棚部材の両側部を支持するように構成されるブラケットとを有し、
前記送信部は前記貯蔵室の側壁に取り付けられ、前記受信部は前記棚の側部に取り付けられる、請求項１に記載の冷蔵庫。
【請求項９】
前記受信部は前記ブラケットの後方部に取り付けられる、請求項８に記載の冷蔵庫。
【請求項１０】
前記送信部及び受信部は、漏洩される電磁波を遮蔽するように構成される遮蔽部材をそれぞれ有する、請求項１に記載の冷蔵庫。
【請求項１１】
前記送信部は、前記受信部と向き合う第１表面及び前記第１表面と対向する第２表面を有し、前記遮蔽部材は前記第２表面に付着される、請求項１０に記載の冷蔵庫。
【請求項１２】
前記受信部は、前記送信部と向き合う第１表面及び前記第１表面と対向する第２表面を有し、前記遮蔽部材は前記第２表面に付着される、請求項１０に記載の冷蔵庫。
【請求項１３】
前記送信部は、
回路基板と、
前記回路基板の前記受信部と向き合う表面に形成され、電力伝送のための電磁波を生成するコイルと、
前記回路基板と前記外部電源とを接続する配線と、を有する、請求項１に記載の冷蔵庫。
【請求項１４】
前記受信部は、
回路基板と、
前記回路基板の前記送信部と向き合う表面に形成され、前記送信部から伝達された電磁波から電流を誘導するように構成されるコイルと、
前記回路基板と前記光源部とを接続し、前記誘導された電流を供給するように構成される配線と、を有する、請求項１に記載の冷蔵庫。
【請求項１５】
所定大きさの貯蔵室を有するキャビネットと、
前記貯蔵室内に取り付けられ、前記貯蔵室内を照明するように構成された光源部を有する棚と、
外部電源と接続され、無線で電力を伝送するように構成される送信部と、
前記送信部から無線で電力を受信して前記棚の光源部に供給するように構成される受信部と、を有し、
前記光源部は、ハウジングと前記ハウジング内に配置されて光を照射するように構成される光源モジュールとを有する、冷蔵庫。
【請求項１６】
前記光源部は、前記棚の前方部に配置され、下方に光を照射するように配向される、請求項１５に記載の冷蔵庫。
【請求項１７】
前記ハウジングは、光を通過させないように構成される遮光部と光を通過させるように構成されるウィンドウとを有し、
前記ウィンドウは前記ハウジングの底部の後方部に配置される、請求項１５に記載の冷蔵庫。
【請求項１８】
前記ウィンドウの前端と後端との間の距離は前記ハウジングの前端と後端との間の距離の１／２に設定される、請求項１７に記載の冷蔵庫。
【請求項１９】
前記ウィンドウは曲面状に形成される、請求項１７に記載の冷蔵庫。
【請求項２０】
前記光源モジュールは、前記ハウジングの上部内面に向けて光を照射するように配向される、請求項１７に記載の冷蔵庫。
【請求項２１】
前記光源モジュールは、前記ハウジングの上部及び前方内面に向けて光を照射するように、水平面に対して所定角度で傾くように配置される、請求項１７に記載の冷蔵庫。
【請求項２２】
前記光源部は、前記光源モジュールを保持するように構成されるホルダを有し、
前記ホルダは、
前記光源モジュールの両端を支持するように構成されるストッパと、
前記光源モジュールの上部及び下部をそれぞれ支持するように構成される第１及び第２アームと、を有する、請求項１５に記載の冷蔵庫。
【請求項２３】
前記第２アームが前記第１アームより長く伸びる、請求項２２に記載の冷蔵庫。
【請求項２４】
前記棚は、物品を支持するように構成され、透明な胴体を有する棚部材を有し、
前記棚部材は、前記透明な胴体に配置され、前記胴体を通じて光が漏出されることを防止するように構成される不透明なレイヤを有する、請求項１５に記載の冷蔵庫。
【請求項２５】
前記レイヤは前記棚部材の縁部に沿って形成される、請求項２４に記載の冷蔵庫。
【請求項２６】
前記光源部は、前記棚の直下方に光を照射するように水平面と平行に配向されるか、あるいは前記棚の後方部にも光を照射するように前記水平面に対して所定角度で傾くように配向される、請求項１５に記載の冷蔵庫。
【請求項２７】
所定大きさの貯蔵室を有するキャビネットと、
前記貯蔵室内に取り付けられ、前記貯蔵室内を照明するように構成された光源部を有する棚と、
外部電源と接続され、無線で電力を伝送するように構成される送信部と、
前記送信部から無線で電力を受信して前記棚の光源部に供給するように構成される受信部と、を有し、
前記送信部及び前記受信部の内部には、外部から異物がその内部に進入することを防止するシーリング部材が提供される、冷蔵庫。
【請求項２８】
前記光源部は、
ハウジングと、
前記ハウジング内に配置され、光を照射するように構成される光源モジュールと、
前記ハウジングの内部に配置され、前記光源モジュールを保持するホルダと、
前記ハウジングと前記ホルダとの間に挿入され、外部物質が前記ハウジング内に進入することを防止する第１シーリング部と、を有する、請求項２７に記載の冷蔵庫。
【請求項２９】
前記光源部は、
前記ハウジングの外部に配置され、前記棚に結合されるヘッドと、
前記ヘッドの内部に提供され、外部物質が前記ハウジング内に進入することを防止する第２シーリング部と、をさらに有する、請求項２８に記載の冷蔵庫。
【請求項３０】
前記光源部は、前記ホルダと前記光源モジュールとの間に挿入され、外部物質が前記光源モジュールに到逹することを防止する第３シーリング部をさらに有する、請求項２８に記載の冷蔵庫。
【請求項３１】
前記受信部を保護するために前記受信部を覆うように構成されるカバーをさらに有し、
前記カバーは無線電力伝送を邪魔しない素材でなる、請求項２７に記載の冷蔵庫。
【請求項３２】
前記カバーは非伝導又は非金属素材でなる、請求項３１に記載の冷蔵庫。
【発明の詳細な説明】
【技術分野】
【０００１】
本出願は、冷蔵庫に関し、より詳しくは上記冷蔵庫内に取り付けられる棚に関する。
【背景技術】
【０００２】
一般に、冷蔵庫は食品を新鮮に貯蔵するように構成された装置である。上記冷蔵庫は本体の下部に機械室を含む。上記機械室は、冷蔵庫の重心（質量中心）（center of gravity）を考慮して、かつ組立ての効率（効用性）（efficiency）及び振動低減のために、冷蔵庫の下部に取り付けられることが一般的である。このような冷蔵庫の機械室には冷凍サイクル装置が取り付けられ、低圧の液相冷媒（液状冷媒）（liquid-phase refrigerant）が気相冷媒（気状冷媒）（gas-phase refrigerant）に変化しながら外部の熱を吸収する性質を用いて冷蔵庫の内部を冷凍／冷蔵状態で維持することによって食品を新鮮に保管するようになる。
【０００３】
上記冷蔵庫の冷凍サイクル装置は、低温低圧の気相冷媒を高温高圧の気相冷媒に変化させる圧縮器と、上記圧縮器で変化させられた高温高圧の気相冷媒を高温高圧の液相冷媒に変化させる凝縮器と、上記凝縮器で変化させられた低温高圧の液相冷媒を気体状（気状）に変化させながら外部の熱を吸収する蒸発器などで構成される。
【０００４】
このような冷蔵庫の内部空間は暗いから、使用者が貯蔵された食品を容易に捜すために、内部空間に照明を提供することができる。しかし、一般に光源が内部空間の特定位置に取り付けられるため、内部空間の全体を照明しにくいことがある。一方、上記冷蔵庫は、内部空間内に取り付けられて食品を支持するように構成される棚を有することができる。一般に、複数（多数）の（a plurality of）棚が内部空間内に取り付けられるので、このような棚に光源を提供すれば、内部空間を均一に照明することができる。したがって、均一な照明のために、内部空間を照明するように上記棚を改良することを考慮する必要がある。
【発明の概要】
【発明が解決しようとする課題】
【０００５】
本出願は、上記のような問題点を解決するためのもので、本出願の目的は冷蔵庫の内部空間を均一に照明するように構成される冷蔵庫を提供することである。
【０００６】
また、本出願の目的は内部空間を照明するように構成される棚を有する冷蔵庫を提供することである。
【課題を解決するための手段】
【０００７】
目的を達成するための本出願の一態様によると、本出願は、所定大きさの貯蔵室を有するキャビネットと、貯蔵室内に取り付けられ、貯蔵室内を照明するように構成された光源部を有する棚と、外部電源と接続（連結）され（connected to）、無線で電力を伝送する（送る、送信する）（transmit）ように構成され、所定範囲の１次（primary）共振周波数を有する送信部と、送信部から無線で電力を受信して棚の光源部に供給するように構成される受信部と、を有してなり、送信部は、受信部が送信部に近接して配置されるときに発生する２次（secondary）共振周波数を用いて受信部に電力を伝送する冷蔵庫を提供することができる。
【０００８】
２次共振周波数は１次共振周波数より大きく設定できる。より詳しくは、２次共振周波数は１次共振周波数の２倍より大きく設定できる。１次共振周波数は１００〜１５０ｋＨｚの範囲を有し、２次共振周波数は３００〜４００ｋＨｚの範囲を有することができる。
【０００９】
受信部は、２次共振周波数を生成するために、光源部の負荷の抵抗によって負荷に接続されるコンデンサの容量を調節するように構成されることができる。より詳しくは、受信部は、光源部の負荷の抵抗によって負荷に直列及び／又は並列に接続されるコンデンサを有することができる。
【００１０】
送信部と受信部とは互いに向き合うように貯蔵室の側壁と棚の側部とにそれぞれ提供されることができる。より詳しくは、棚は、棚部材と棚部材の両側部を支持するように構成されるブラケットとを有し、送信部は貯蔵室の側壁に取り付けられ、受信部は棚の側部に取り付けられることができる。また、受信部はブラケットの後方部に取り付けられることができる。
【００１１】
送信部及び受信部は、漏洩される電磁波（電磁気波）（electromagnetic waves）を遮蔽するように構成される遮蔽部材をそれぞれ有することができる。より詳しくは、送信部は、受信部と向き合う第１表面及び第１表面と対向する第２表面を有し、遮蔽部材は第２表面に付着される（attached）ことができる。受信部は、送信部と向き合う第１表面及び第１表面と対向する第２表面を有し、遮蔽部材は第２表面に付着されることができる。
【００１２】
送信部は、回路基板と、回路基板の受信部と向き合う表面に形成され、電力伝送のための電磁波を生成するコイルと、回路基板と外部電源とを接続する配線と、を有することができる。また、受信部は、回路基板と、回路基板の送信部と向き合う表面に形成され、送信部から伝達された電磁波から電流を誘導するように構成されるコイルと、回路基板と光源部とを接続し、誘導された電流を供給するように構成される配線と、を有することができる。
【００１３】
一方、目的を達成するための本出願の他の態様によると、本出願は、所定大きさの貯蔵室を有するキャビネットと、貯蔵室内に取り付けられ、貯蔵室内を照明するように構成された光源部を有する棚と、外部電源と接続され、無線で電力を伝送するように構成される送信部と、送信部から無線で電力を受信して棚の光源部に供給するように構成される受信部と、を有してなり、光源部は、ハウジングとハウジング内に配置されて光を照射するように構成される光源モジュールとを有する、冷蔵庫を提供することができる。
【００１４】
光源部は棚の前方部に配置され、下方に光を照射するように配向されることができる。
【００１５】
ハウジングは、光を通過させないように構成される遮光部と、光を通過させるように構成されるウィンドウと、を有し、ウィンドウはハウジングの底部の後方部に配置されることができる。ウィンドウの前端と後端との間の距離はハウジングの前端と後端との間の距離の１／２に設定されることができる。また、ウィンドウは曲面状（curved）に形成されることができる。また、光源モジュールは、ハウジングの上部内面に向けて光を照射するように配向されることができる。また、光源モジュールは、ハウジングの上部及び前方内面に向けて光を照射するように、水平面に対して所定角度で傾くように配置されることができる。
【００１６】
光源部は光源モジュールを保持するように構成されるホルダを有し、ホルダは、光源モジュールの両端を支持するように構成されるストッパと、光源モジュールの上部及び下部をそれぞれ支持するように構成される第１及び第２アームと、を有することができる。また、第２アームが第１アームより長く伸びる（extends）ことができる。
【００１７】
棚は物品を支持するように構成され、透明な胴体（body）を有する棚部材を有し、棚部材は、透明な胴体に配置され、胴体を通じて光が漏出することを防止するように構成される不透明なレイヤを有することができる。より詳しくは、レイヤは棚部材の縁部に沿って形成されることができる。
【００１８】
光源部は、棚の直下方に（vertically downward）光を照射するように水平面と平行に配向されるか、あるいは棚の後方部にも光を照射するように水平面に対して所定角度で傾くように配向されることができる。
【００１９】
また、目的を達成するための本出願の他の態様によると、本出願は、所定大きさの貯蔵室を有するキャビネットと、貯蔵室内に取り付けられ、貯蔵室内を照明するように構成された光源部を有する棚と、外部電源と接続され、無線で電力を伝送するように構成される送信部と、送信部から無線で電力を受信して棚の光源部に供給するように構成される受信部と、を有してなり、送信部及び受信部の内部には、外部から異物（foreign impurities）がその内部に進入することを防止するシーリング部材が提供される冷蔵庫を提供することができる。
【００２０】
光源部は、ハウジングと、ハウジング内に配置され、光を照射するように構成される光源モジュールと、ハウジングの内部に配置され、光源モジュールを保持するホルダと、ハウジングとホルダとの間に挿入（介在）され（interposed）、外部物質（foreign impurities）がハウジング内に進入することを防止する第１シーリング部と、を有することができる。
【００２１】
また、光源部は、ハウジングの外部に配置され、棚に結合されるヘッドと、ヘッドの内部に提供され、外部物質がハウジング内に進入することを防止する第２シーリング部と、をさらに有することができる。
【００２２】
また、光源部は、ホルダと光源モジュールとの間に挿入され、外部物質が光源モジュールに到逹することを防止する第３シーリング部をさらに有することができる。
【００２３】
冷蔵庫は、受信部を保護するために受信部を覆うように構成されるカバーをさらに有することができ、カバーは無線電力伝送を邪魔しない素材でなることができる。より詳しくは、カバーは非伝導又は非金属素材でなることができる。
【発明の効果】
【００２４】
本出願で説明する例によって、冷蔵庫の棚に光源を提供することによって冷蔵庫の内部空間を均一に照明することができる。また、棚の光源に無線で電力を供給することによって、漏電、感電又は腐食などの問題が発生しない。その上、無線電力伝送のための機械的及び回路的構成が最適に設計され、最適な制御が適用されることによって、冷蔵庫の内部空間をより効果的で効率的に照明することができる。
【００２５】
本出願で説明する例（example）の適用可能性の更なる範囲は以下の詳細な説明から明らかになるであろう。しかし、説明した例の思想及び範囲内の多様な変更及び修正は当業者にとって明らかに理解可能であるので、詳細な説明及び本出願の好適な例はただ例示のために与えられたものとして理解しなければならない。
【図面の簡単な説明】
【００２６】
【図１】本出願による冷蔵庫を示す正面図である。
【図２】本出願の一例（example）による冷蔵庫棚に装着される無線電力伝送システムの回路を概略的に示す概略図である。
【図３】本出願の一例による冷蔵庫棚に装着される無線電力伝送システムの回路をより詳細に示すブロック図である。
【図４】本出願の一例によって実験的に獲得された１次共振、２次共振及び利得（ゲイン）（gain）の関係を示すグラフである。
【図５】本出願の一例によって実験的に獲得された１次共振、２次共振及び位相（phase）の関係を示すグラフである。
【図６】本出願の一例による無線電力伝送システムの送信部の構造を簡略に示す概略図である。
【図７】本出願の一例による無線電力伝送システムの受信部の構造の一例を示す概略図である。
【図８】本出願の一例による無線電力伝送システムの受信部の構造の他の一例を示す概略図である。
【図９】本出願の一例による無線電力伝送システムの受信部の構造のさらに他の一例を示す概略図である。
【図１０】図１１〜図１３に示したそれぞれの受信部の構造のための条件を示すテーブルである。
【図１１】図１０に示した送信部の構造の一例を示す概略図である。
【図１２】図１０に示した送信部の構造の他の一例を示す概略図である。
【図１３】図１０に示した送信部の構造のさらに他の一例を示す概略図である。
【図１４】冷蔵庫の貯蔵室及び棚を概略的に示す斜視図である。
【図１５】本出願の一例による冷蔵庫の構成を示すブロック図である。
【図１６ａ】本出願による棚を左側から見た斜視図である。
【図１６ｂ】本出願による棚を右側から見た斜視図である。
【図１６ｃ】本出願による棚を下部から見た斜視図である。
【図１６ｄ】移動された棚部材を有する棚を示す斜視図である。
【図１７】図１６の棚の分解斜視図である。
【図１８】図１６の棚の分解斜視図である。
【図１９】カバー、受信部及び送信部を含む棚の部分斜視図である。
【図２０ａ】受信部及び光源部のアセンブリを示す平面図である。
【図２０ｂ】カバーを詳細に示す平面図である。
【図２１】本出願による冷蔵庫及び棚を示す部分斜視図である。
【図２２】棚のブラケット及び受信部を示す部分平面図である。
【図２３】貯蔵室側壁の送信部と棚の受信部との整列を説明する側面図である。
【図２４】図１６ａのＡ−Ａ線に沿って得られた断面図である。
【図２５】棚の光源部の上部（top）を示す平面図である。
【図２６ａ】図２５のＢ−Ｂ線に沿って得られた断面図である。
【図２６ｂ】図１６ａのＣ−Ｃ線に沿って得られた断面図である。
【図２７】前方に光を照射するように構成された棚の光源部を示す斜視図である。
【図２８】下方に光を照射するように構成された棚の光源部を示す斜視図である。
【図２９】図２７の光源部の底部（bottom）を示す平面図である。
【図３０ａ】ブラケットに結合された（coupled）光源部を示す部分斜視図及び光源部のキャップ部材を詳細に示す部分拡大図である。
【図３０ｂ】ブラケットに結合された光源部を示す部分斜視図である。
【図３１】送信部の側部を示す側面図である。
【図３２】送信部の背面を示す背面図である。
【図３３】送信部の取付けのための構造を含むインナケースの部分斜視図である。
【図３４ａ】冷蔵庫に取り付けられた送信部及び受信部の一例を示す部分断面図である。
【図３４ｂ】冷蔵庫に取り付けられた送信部及び受信部の他の例を示す部分断面図である。
【図３５】冷蔵庫に取り付けられた送信部を示す部分斜視図である。
【図３６ａ】光源部の右側キャップを示す斜視図である。
【図３６ｂ】光源部の左側キャップを示す斜視図である。
【図３６ｃ】前記キャップを示す平面図である。
【図３６ｄ】前記キャップを示す正面図である。
【図３６ｅ】前記キャップを示す右側面図である。
【図３７】棚部材のレールを示す斜視図及び部分拡大図である。
【図３８】冷蔵庫の内部を照明する壁体（wall）の光源を示す冷蔵庫の正面図である。
【図３９】冷蔵庫の内部を照明する壁体の光源及び棚の光源部を示す冷蔵庫の断面図である。
【図４０ａ】光源部の配向（orientation）の例を示す側面図である。
【図４０ｂ】光源部の配向の例を示す側面図である。
【図４１ａ】光源部のハウジング及び光源モジュールの構成を示す断面図である。
【図４１ｂ】図４１ａの構成の他の例を示す断面図である。
【図４１ｃ】図４１ａの構成の他の例を示す断面図である。
【図４１ｄ】図４１ａの構成の他の例を示す断面図である。
【図４１ｅ】図４１ａの構成の他の例を示す断面図である。
【図４２】不透明なレイヤを含む棚部材を示す平面図である。
【図４３ａ】光源部及びブラケットのバー（bar）の多様な配置例を示す側面図である。
【図４３ｂ】光源部及びブラケットのバーの多様な配置例を示す側面図である。
【図４３ｃ】光源部及びブラケットのバーの多様な配置例を示す側面図である。
【図４４】光源部及びバーの配置に関連した詳細な構成を示す側面図である。
【図４５】受信部と光源部との電気的接続の変形例を示す斜視図である。
【図４６】貯蔵室の後壁に取り付けられる送信部を示す正面図である。
【図４７】後方部に取り付けられた受信部を有する棚を示す斜視図である。
【図４８】貯蔵室の側壁に支持される棚において送信部及び受信部の構成を示す正面図である。
【図４９】図４８の棚を示す背面図である。
【図５０】貯蔵室の側壁に支持される棚において送信部及び受信部の構成の他の例を示す正面図である。
【図５１】図５０の棚を示す側面図である。
【図５２】送信部の基板及びコイルの詳細な構成を示す平面図である。
【図５３】受信部の基板及びコイルの詳細な構成を示す平面図である。
【図５４】ドアが開くときの光源を制御する方法を示すフローチャートである。
【図５５】ドアが閉まるときの光源を制御する方法を示すフローチャートである。
【発明を実施するための形態】
【００２７】
一般に、冷蔵庫は、内部が断熱材で充填されたキャビネット及びドアによって、外部から浸透する熱を遮断することができる食品貯蔵空間をなし、上記食品貯蔵空間の内部の熱を吸収する蒸発器と収集された熱を上記食品貯蔵空間の外部に排出する放熱装置とで構成された冷凍装置を備え、上記食品貯蔵空間を微生物の生存及び増殖が難しい低温領域で維持し、貯蔵された食品を長期間にわたって変質なしで保管する装置である。
【００２８】
上記冷蔵庫は、零度以上の温度領域で食品を貯蔵する冷蔵室と零下の温度領域で食品を貯蔵する冷凍室とに分離して形成され、上記冷蔵室及び冷凍室の配置によって、上部冷凍室及び下部冷蔵室を配置したトップフリーザ（Top Freezer）冷蔵庫、下部冷凍室及び上部冷蔵室を配置したボトムフリーザ（Bottom Freezer）冷蔵庫、左側冷凍室及び右側冷蔵室を配置したサイドバイサイド（Side by side）冷蔵庫などに分類される。そして、使用者が上記食品貯蔵空間に貯蔵された食品を便利に置く（積んでおく）（place）か又は取り出す（引き出す）（retrieve）ため、複数の棚及び引き出しなどを上記食品貯蔵空間の内部に備えている。
【００２９】
以下、上記の目的を具体的に実現することができる本出願の例（examples）を添付図面に基づいて説明する。
【００３０】
この過程で図面に示した構成要素の大きさや形状などは説明の明瞭性及び便宜のために誇張して図示されることができる。また、本出願の構成及び作用を考慮して特別に定義された用語は使用者又は運用者の意図又は慣例によって変わることができる。このような用語に対する定義はこの明細書の全般にわたる内容に基づいて行われなければならない。
【００３１】
本明細書で説明する無線電力伝送システムの回路的及び構造的構成は、無線電力送信又は充電が必要などのデバイスにも適用可能である。すなわち、次の詳細な説明では上記無線電力伝送システムの構成を主に冷蔵庫、特に棚に関連して説明するが、必ずしも冷蔵庫に限定されるものではなく、全てのデバイスで電力の無線伝送のために特別な変形なしに使うことができる。例えば、携帯電話、スマートフォン、ノートブック型パソコン、ウェアラブルデバイス、ＨＭＤ、サイネージ（sign）、スマートウォッチ、スマートガラス、ＴＶ、洗濯機、清掃機、エアコンなどに上記無線電力伝送システムの回路的及び構造的構成を直ちに適用することが可能である。したがって、説明された構成を含むどのデバイスでも本願の権利範囲に含まれる。
【００３２】
図１は本出願の一例による冷蔵庫の正面図である。
【００３３】
図１を参照すると、一例による冷蔵庫は外観をなすキャビネット１を含む。
【００３４】
上記キャビネット１には食品を貯蔵することができる貯蔵室２が備えられる。キャビネット１はインナケース１０から所定間隔で離隔して上記インナケース１０を取り囲むアウタケース１０ａを有することができる。また、インナケース１０とアウタケース１０ａとの間の空間は断熱材で満たされることができる。
【００３５】
上記貯蔵室２は上記キャビネット１の内側に備えられるインナケース１０によって形成されることができる。上記貯蔵室２は、後方面をなす後壁１３、上側面をなす上側壁１２、側面をなす二つの側壁１５及び底面（背面）（bottom surface）をなす底１４を含む。上記貯蔵室２の前面は開放されることにより、使用者が上記貯蔵室２の前面を通して上記貯蔵室に食品を入れるかあるいは上記貯蔵室から食品を取り出すことができる。より詳細には、後壁１３はその中央部を中心に左側後壁１３ａ及び右側後壁１３ｂを含むことができる。また、側壁１５は左側側壁１５ａ及び右側側壁１５ｂを含むことができる。次の説明で、他の説明がない限り、後壁１３は左右側後壁１３ａ、１３ｂを包括し、図面符号１３、１３ａ、１３ｂは関連の構成要素の相対的位置によって選択的に使われることができる。同様に、側壁１５は左右側側壁１５ａ、１５ｂを包括し、図面符号１５、１５ａ、１５ｂは関連の構成要素の相対的位置によって選択的に使われることができる。
【００３６】
上記キャビネット１の前面には、上記キャビネット１に回動可能に取り付けられ、上記貯蔵室２の一側を開閉する第１ドア２０と、上記キャビネット１に回動可能に取り付けられ、上記貯蔵室２の他側を開閉する第２ドア４０と、が備えられる。この際、上記第１ドア２０及び上記第２ドア４０が上記貯蔵室２の前面を閉鎖すれば、上記貯蔵室２が全体的に（完全に）（completely）密閉されることができる。
【００３７】
上記第１ドア２０には、上記第２ドア４０に接触することができるように回転するピラー５０が備えられることができる。上記ピラー５０は全体として（overall shape of）直方体形に形成され、上記第１ドア２０に対して回転することができるよう（回転可能）に上記第１ドア２０に結合されることができる。
【００３８】
上記第１ドア２０には上記第１ドア２０の後方外観をなすドアダイク（door dike）２２が備えられることができる。また、上記第２ドア４０にも上記第２ドア４０の後方外観をなすドアダイク４２が備えられることができる。
【００３９】
上記ドアダイク４２、２２にはそれぞれバスケット４４、２４が取り付けられ、それぞれのバスケット４４、２４には多様な形態の食品が貯蔵されることができる。
【００４０】
上記貯蔵室２には、上記第１ドア２０側に配置される第１ドロワ（引出し、ドローア）（drawer）３２と上記第２ドア４０側に配置される第２ドロワ３４とが備えられることができる。この際、上記第１ドロワ３２及び上記第２ドロワ３４は同じ水平面上に配置されることができる。すなわち、上記第１ドロワ３２及び上記第２ドロワ３４は、上記貯蔵室２内で同一の高さに、左右側にそれぞれ配置されることが可能である。上記第１ドロワ３２と上記第２ドロワ３４とはそれぞれ独立して引き出されることができる。
【００４１】
本出願の一例では、単一貯蔵室２の左側部を開閉する上記第１ドア２０と右側部を開閉する上記第２ドア４０とが備えられるので、単一貯蔵室の左右側がそれぞれのドアによって開閉されることができる。
【００４２】
上記貯蔵室２には、その上に食品が載置されることができる棚１００が取り付けられることができる。上記棚１００は、食品を支持するために、貯蔵室２の内側壁に支持される必要がある。棚１００が左右側壁１５ａ、１５ｂによって支持されれば、このような棚１００は左側壁１５ａから右側壁１５ｂまで継続的に伸び、これによって同一高さ又は同一平面上に一つの棚１００のみが取り付けられることができる。一方、棚１００が後壁１３に支持されれば、二つ又はそれ以上の棚１００が、図１に示すように、上記貯蔵室２の左右側にそれぞれ配置されることができる。すなわち、複数の棚１００が後壁１３に支持されて同一平面上に配置されることができる。また、複数の棚１００が後壁１３又は側壁１５に支持され、相異なる高さに配置されることができる。
【００４３】
一方、冷蔵庫の貯蔵室２は暗いから、使用者が貯蔵された食品を容易に捜すためには、内部空間に照明を提供することができる。しかし、一般に、光源は内部空間の特定の位置、例えば上側壁１２又は後壁１３に取り付けられるため、内部空間の全体を照明しにくいことがあり得る。したがって、上記棚１００が貯蔵室２を照明するように構成されることができる。前述したように、複数の棚１００が貯蔵室２を分割しながら貯蔵室２内に取り付けられるので、このような棚１００に光源を提供すれば、内部空間、つまり貯蔵室２を均一に照明することができる。
【００４４】
棚１００が光源又は照明装置を有する場合、このような光源に電源を供給するための装置が必要と（要求）される（required）。このような電源供給装置として、電源光源を配線又は接点を介して直接接続する接続構造を適用することができる。例えば、棚１００の所定部位に電源需給接点部を取り付け、冷蔵庫の所定部位、つまり貯蔵室２の壁１２〜１５のいずれか一つには電源供給接点部を取り付けることができる。また、棚が貯蔵室２の壁１２〜１５のいずれか一つに取り付けられれば、電源需給接点部と電源供給接点部とが互いに接続されることができる。したがって、電源が供給されれば、棚１００の光源は光を発散することができる。しかし、このような直結式構造では、冷蔵庫そのものの多湿な環境によって、棚及び冷蔵庫本体のそれぞれの露出した（導出された）（exposed）接点部が腐食されるか機械的接触不良を引き起こす可能性が非常に高い。その上、冷蔵庫の内部に保管された液体の管理不良によって又は棚洗浄後の結合過程で接点部の漏水又は感電の可能性も非常に高い。
【００４５】
一方、鎖交磁束（Magnetic flux）を用いる無線電力伝送技術が近年に論議されており、モバイル機器だけでなく電気自動車の無線充電の分野でも商業化するように技術開発が論議されている。特に、後述するように、このような無線電力伝送技術は磁束を用いて配線なしで電力を伝送することができるので、着脱が必要とされるか、防水機能が必要とされるかあるいは防塵機能が必要とされる装置に有用になることができる。したがって、棚１００は、貯蔵室２を照明するための光源を有するように構成し、かつこのような光源に電力を供給するために、無線電力伝送システムを用いることができる。
【００４６】
図２は、本出願の一例による冷蔵庫棚に装着される無線電力伝送システムの回路を概略的に示している。
【００４７】
図２に示したように、無線電力伝送システムは１次コイルを含む回路（冷蔵庫の本体に取り付けられる）及び２次コイルを含む回路（棚に取り付けられる）で構成される。棚は冷蔵庫本体に着脱可能に、かつ洗浄などの問題がないように設計される。図２に示した１次コイルにＡＣ電流（Ａｌｔｅｒｎａｔｉｎｇ  Ｃｕｒｒｅｎｔ、交流）が印加されれば、磁気、つまり電磁波が発生し、上記発生した磁気、つまり電磁波によって２次コイルに磁気が誘導され、結果的に負荷（例えば、ＬＥＤ）に電力が供給される。
【００４８】
図２に示した１次コイルを含む回路は、図１に示した冷蔵庫本体、つまりキャビネット１に取り付けられ、無線電力伝送システムの送信部２００を構成することができる。また、図２に示した２次コイルを含む回路は、図１に示した冷蔵庫の棚１００に取り付けられ、無線電力伝送システムの受信部３００を構成することができる。上記無線電力伝送システムは棚１００の光源に電源を供給するために冷蔵庫の一部として構成されることができるので、上記送信部２００及び受信部３００も同様に冷蔵庫の一部として構成されることができる。このような送信部２００及び受信部３００の機械的構成は棚１００の構造と一緒に図１４〜図５３でより詳細に説明し、これらの回路的構成を先に以下で詳細に説明する。また、このような回路的構成の説明においては、説明の便宜のために、送信部及び受信部に互いに異なる図面符号を付与するが、この明細書の全般にわたって送信部及び受信部には図面符号２００及び３００が共通に適用される。
【００４９】
送信部２００及び受信部３００は、例えば小型／薄型の構造適用のためのＰＣＢ（Printed Circuit Board）コイル構造で設計可能である。冷蔵庫に取り付けられたそれぞれの棚に供給される電力は約１．２Ｗであり、電力伝達のための距離、つまり棚１００と冷蔵庫本体（例えば、貯蔵室２の後壁１３及び側壁１５）との距離は約６〜１０ｍｍである。上記距離が６ｍｍより小さければ、棚１００の装着又は脱離（脱着）（separation）中の小さい距離、つまり間隔によって後壁１３／側壁１５及び棚１００が互いに摩擦することになり、これによってこれらの損傷が発生し得る。また、冷蔵庫のインナケース１０とアウタケース１０ａとの間に充填される断熱材によって後壁１３及び側壁１５が突出することができ、６ｍｍより小さな間隔では突出した後壁１３及び側壁１５と棚１００とが互いに干渉することもできる。その上、上記距離が１０ｍｍより大きければ、無線電力伝送の効率が低下し、後述する２次共振周波数の生成も邪魔されることができる。よって、棚１００と冷蔵庫本体との距離は、前述したように、約６ｍｍ〜１０ｍｍに設定することが、棚１００及び後壁／側壁１３、１５の損傷防止及び円滑な無線電力伝送の面で有利である。送信部２００及び受信部３００は冷蔵庫本体及び棚１００にそれぞれ取り付けられるので、このような距離は同様に送信部２００と受信部３００との間の距離にも適用されることができる。もちろん、上記数値は一例に過ぎないもので、本出願の権利範囲は特許請求の範囲に記載された事項によって解釈されなければならないのは言うまでもない。
【００５０】
その上、コスト節減のために、送信部２００及び受信部３００には他の通信機能を適用しなかった。一方、ＦＯＤ（Foreign Object Detect）機能を除く場合、コスト節減の技術的効果があるが、棚が脱離された後に金属異物が近接するとき、発熱の問題が予想される。このような問題点の解決のために、２次共振周波数帯域を用いることが本出願の一特徴である。これに関しては、図４以降でより詳細に後述する。
【００５１】
そして、冷蔵庫本体に取り付けられた送信部２００に電源を供給する時間は、冷蔵庫のドアが開いた時点から約７分間動作するように設計する。もちろん、他の数値に変形設計することも本出願の他の権利範囲に属する。
【００５２】
図３は、本出願の一例による冷蔵庫棚に装着される無線電力伝送システムの回路をより詳細に示している。
【００５３】
図３に示した無線電力伝送システムの送信部７１０は冷蔵庫本体に取り付けられ、特に着脱可能な棚から少しの距離を置いて取り付けられる。上記少しの距離は、送信部７１０及び受信部７２０に取り付けられたコイルで２次共振が発生する程度であれば十分である。上記冷蔵庫本体は、例えば冷蔵庫の内部の側壁１５及び後壁１３のいずれも可能である。
【００５４】
その上、上記送信部７１０は、図３に示したように、入力フィルタ７１１、レギュレータ７１２、オシレータ７１３、インバータ７１４、コイル／共振器７１５などで構成される。上記オシレータ７１３、インバータ７１４及びコイル／共振器７１５は必須構成要素であり、残りの構成要素は選択的に含むことができる。これは単純な電力伝送回路であり、別途の信号変調／復調アルゴリズムがなく、約１２Ｖの入力電力による動作／非動作のモードでのみ構成される。また、図３に示した回路図は一例に過ぎないもので、当業者が一部回路を追加、変更、削除することも本出願の権利範囲に属する。
【００５５】
一方、図３に示した無線電力伝送システムの受信部７２０は、冷蔵庫の棚１００に取り付けられ、冷蔵庫本体から少しの距離を置いて取り付けられる。上記少しの距離は、送信部７１０及び受信部７２０にそれぞれ取り付けられたコイルによって２次共振が発生する程度であれば十分である。上記２次共振（又は補助共振）については図４以降でより詳細に後述する。
【００５６】
その上、上記受信部７２０は、図３に示したように、コイル／共振器７２１、整流器（Rectifier）７２２、負荷（Load）７２３などで構成される。上記負荷７２３は、例えばＬＥＤ（Light Emitting Diode）などに相当する。ただし、上記ＬＥＤの代わりに光を放出するどの物質でも上記負荷７２３を具現することが可能である。また、送信部７１０と同様に、受信部７２０も別途の信号変調アルゴリズムがなくても構わず、送信部７１０で磁場が発生するとき、受信部７２０の負荷７２３に電力が伝達される構造（又は回路）であれば十分である。
【００５７】
図４は、本出願の一例によって、送信部２００で実験的に獲得された１次共振、２次共振と利得（ｇａｉｎ＝１次コイル電流／１次コイル電圧）との間の関係を示している。
【００５８】
前述したように、本出願の一例による無線電力伝送システムを具現するに当たり、送信部２００と受信部３００との間の通信機能を適用しないことにより、通信による送信部２００（例えば、冷蔵庫本体）周辺の金属物質感知機能（ＦＯＤ、Foreign Object Detection）が適用されない。
【００５９】
したがって、効率的な無線電力伝送及び金属素材異物の加熱防止のために２次共振（副共振、補助共振）の利得（gain）を最大にするための２次共振周波数値を設定する必要がある。一方、２次共振周波数の使用による金属素材の利得は最小にしなければならない。参考として、上記２次共振周波数の設定時に考慮すべき事項として、（１）第１共振周波数の選定、（２）金属異物での誘導加熱を最小とするように、第１共振周波数の１．５倍（好適には２倍）以上となる周波数を第２共振周波数として選定すること、（３）負荷条件を考慮し、第２共振周波数で補助共振を有するような第２コンデンサ（直列コンデンサ）又は第３コンデンサ（並列コンデンサ）の構成がある。
【００６０】
図６以降で後述する無線電力伝送システムの送信部及び受信部で具現される場合、図４に示した結果を実験的に獲得した。
【００６１】
まず、図４に示したように、送信部２００（冷蔵庫本体）のみが存在し、受信部３００（冷蔵庫棚１００）がない場合、１００〜１５０ｋＨｚで１次共振（主共振）のみが送信部２００、つまりその１次コイルで発生する。一方、送信部２００（冷蔵庫本体）に受信部３００（冷蔵庫棚１００）が位置しないがアルミニウムやスチールなどの異物が辺りに近付けば、該当の異物の近接程度によって主共振周波数が１５０〜２５０ｋＨｚに変更される。しかし、送信部２００（冷蔵庫本体）に受信部３００（冷蔵庫棚１００）が少しの距離を置いて付着された場合、異物による共振周波数範囲（１５０〜２５０ｋＨｚ）を外れて２次共振周波数（３００〜４００ｋＨｚ）が送信部２００で発生する。したがって、補助共振を用いることにより、無線電力伝送が可能でありながらも待機電力を最小にし、異物による誘導加熱を発生させない技術的効果がある。
【００６２】
図５は、本出願の一例によって実験的に獲得された１次共振、２次共振と位相（phase）との間の関係を示している。
【００６３】
前の図４では送信部２００の駆動周波数による送信部の共振部１０３０（図６参照）の利得（１次コイル電流／電圧）を示したが、図５では送信部２００の駆動周波数による送信部の共振部１０３０の駆動電圧及び電流の位相（phase：１次コイル電圧と電流との位相差）を示した。
【００６４】
図４と同様に、図５でも、本出願の一例による無線電力伝送システムの送信部２００と受信部３００との結合（一定距離を置く）によって１次共振及び２次共振が発生することを確認することができる。したがって、上記２次共振の周波数（３００〜４００ｋＨｚ）が送信部２００と金属物質とがカップリングされた場合の周波数（１５０〜２５０ｋＨｚ）より高いから、２次共振周波数を用いて電力を伝送する場合、送信部２００の近辺（辺り）に（close to）受信部３００なしで金属物質が近付いても誘導加熱の原因となることができる１次コイルでの電流がほぼ発生しない。よって、上記金属物質の加熱現象を防止することができる技術的効果が期待されると言える。また、共振による電力伝送の高い効率性によって、２次共振周波数の利用は金属物質の加熱を避けながらも効果的な無線電力伝送を可能にする。
【００６５】
一方、図４及び図５に示した第２共振周波数は第１共振周波数より約２倍（又はそれ以上）高く設計すれば、受信部３００（棚）の代わりに金属異物が送信部２００（冷蔵庫本体）に近接する場合に予想される発熱現象を遮断することができる。
【００６６】
また、図４及び図５をさらに要約整理して説明すると次の通り（よう）である（described below）。
【００６７】
スチール系の金属が送信部２００（冷蔵庫の本体）と整列される（aligned with）場合、上記送信部２００のコイルに流れる電流によって誘導電流が発生して熱として消耗されるので（誘導加熱）、上記送信部のインピーダンスが大きく増加する傾向がある。
【００６８】
また、アルミニウム系の金属が上記送信部２００と整列される場合、誘導加熱は発生しないがコイルの磁気経路を変化させるので、コイルのインダクタンスが変化して送信部共振器の共振周波数が大きく変化する。しかし、このような金属素材の物質は共振特性のみを変化させるだけで、更なる共振点（２次共振）を発生させない。
【００６９】
一方、更なる共振点を有する受信部３００（冷蔵庫の棚）が上記送信部と整列される場合、別途の補助共振点を送信部２００で発生させることができ、送信部２００及び受信部３００の磁気結合状態及び受信部３００の共振部を調整して２倍以上高い周波数に設定することができる。
【００７０】
図６は、本出願の一例による無線電力伝送システムの送信部の構造を簡略に示している。
【００７１】
本出願の一例による無線電力伝送システムの送信部２００は、電源１０１０、インバータ１０２０、共振部１０３０などで構成され、共振部１０３０はコイル１０３１及びコンデンサ１０３２で構成される。もちろん、一部のモジュールを削除、追加、変更することも本出願の他の権利範囲に属する。
【００７２】
図６に示したように、コイル１０３１のインダクタンスとコンデンサ１０３２とが直列に接続された共振部１０３０を用いる送信部２００（冷蔵庫本体）が単独で存在すれば、共振部１０３０には単一共振点が発生する。
【００７３】
しかし、図６に示した送信部２００のコイル１０３１の近くに金属性異物が位置する場合、共振周波数及び共振品質係数（数値）（Quality Factor）が変化する。また、図６に示した送信部２００と同様に、コイルのインダクタンス及びコンデンサを用いた共振部を有する受信部３００（冷蔵庫棚１００）が設置される（位置する）（disposed）場合、補助共振（又は２次共振）を発生させることができる。このような受信部３００の具体的な構造については、以下で図７を参照してより詳細に後述する。
【００７４】
一方、本出願の一例による複数のコイルを用いた無線電力伝送システムは図６に示した送信部２００及び図７以降で後述する受信部３００で構成される。
【００７５】
送信部２００は予め設定された（既設定の）（preset）電圧を受信するモジュール１０１０及び上記受信した電圧によって第１共振周波数を発生する第１共振部１０３０を含み、第１共振部１０３０は第１コイル１０３１及び第１コンデンサ１０３２を含む。また、上記モジュール１０１０は、ＤＣパワーをＡＣパワーに変換し、変換されたＡＣパワーを第１共振部１０３０に供給するインバータ１０２０を含むように設計することも本出願の他の一特徴である。また、上記モジュール１０１０は第２共振周波数で駆動される上記インバータ１０２０を制御するように設計される。また、本出願の一例による無線電力伝送システムが冷蔵庫に設計された場合、冷蔵庫のドア開放が感知されたときに上記モジュール１０１０で予め設定された電圧が受信され、冷蔵庫のドア閉鎖が感知されたときに上記モジュール１０１０への予め設定された電圧の受信を中断して不必要な電力損失を防止することも本出願のさらに他の権利範囲に属する。
【００７６】
一方、上記送信部２００から離隔した受信部３００は、光（light）を発散する負荷、上記負荷の等価抵抗によって直列又は並列に接続されたコンデンサ、及び上記第２共振周波数を発生させるように設計される第２コイルを含む。上記受信部３００のより具体的な構造については図７以降で詳述する。
【００７７】
図７は、本出願の一例による無線電力伝送システムの受信部構造の一例を示している。図８は、本出願の一例による無線電力伝送システムの受信部構造の他の一例を示している。図９は、本出願の一例による無線電力伝送システムの受信部構造のさらに他の一例を示している。
【００７８】
図７、図８及び図９に示した受信部３００のそれぞれは、追加共振点（補助共振、２次共振）を有することができるようにする負荷別受信部３００の構造である。
【００７９】
負荷の大きさによって受信部３００の構造が変更される本出願の他の一特徴であり、主要電流がコンデンサに流れるように設計しなければならない。また、負荷の等価抵抗が高いか低いかは送信部２００と受信部３００との結合状態（例えば、距離）によって相対的に適用される値であり、実験的に求めることもできる。
【００８０】
実験的にデータを蓄積した結果、送信部２００と受信部３００とのコイルの結合が増加するほど（すなわち、相互インダクタンスが増加するほど、送受信部の距離が減少するほど）、直列コンデンサの大きさが小さくなるほど、並列コンデンサの大きさが小さくなるほど、補助共振（２次共振）の周波数は増加する傾向がある。
【００８１】
受信部３００（例えば、冷蔵庫の棚１００）の負荷（例えば、ＬＥＤ）の等価抵抗が相対的に小さいときは、図７に示したように、上記受信部３００のコイル１１０１及び整流器／負荷１１０３はコンデンサ１１０２に直列に接続される。
【００８２】
一方、上記受信部３００の負荷の等価抵抗が中間程度の範囲を有する場合、図８に示したように、コイル１２０１と整流器／負荷１２０４との間に並列コンデンサ１２０２及び直列コンデンサ１２０３が一緒に存在する。
【００８３】
最後に、上記受信部３００の負荷の等価抵抗が相対的に高い場合には、図９に示したように、上記受信部３００のコイル１３０１及び整流器／負荷１３０３はコンデンサ１３０２に並列に接続される。
【００８４】
図７〜図９をまとめると、受信部３００の負荷（ＬＥＤ）の等価抵抗が予め設定された第１閾値（threshold）未満の場合、受信部３００のコイルとコンデンサとは直列に接続され、受信部３００の負荷の等価抵抗が予め設定された第２閾値を超える場合、受信部３００のコイルとコンデンサとは並列に接続される。ここで、上記第２閾値は、例えば上記第１閾値より大きい。一方、上記受信部３００の負荷の等価抵抗が予め設定された第１閾値以上で、上記第２閾値以下である場合、上記コンデンサは二つで構成され、それぞれ受信部３００のコイルと直列及び並列に接続される。送信部２００のコイルを第１コイルと名付け、受信部３００のコイルを第２コイルと名付けることもできる。
【００８５】
図１０は図７〜図９に示したそれぞれの受信部の構造のための条件を示している。特に、図１０は無線電力伝送システムの送信部２００（冷蔵庫本体）及び受信部３００（冷蔵庫棚１００）のそれぞれの共振部トランスフォーマのモデル化によって補助共振（２次共振）が発生する原理を詳細に示している。
【００８６】
上記受信部３００の共振部が有する別途のインダクタ成分（Ｌｌｋ２）及びコンデンサ（Ｃｐ／Ｃｓ）成分によって発生する補助共振点が送信部２００及び受信部３００のそれぞれのコイルの結合によって発生する相互インダクタンスであるＬｍ及びこれを並列に有する理想的なトランスフォーマ（Ideal Transformer）によって伝達される原理である。
【００８７】
また、受信部３００の共振部の共振特性を示す（表示する）（indicating）指標であるＱ（Quality Factor）が充分に大きいときに共振特性を示すことができるので、負荷（例えば、ＬＥＤ）の等価抵抗の大きさによって、受信部３００は図１０のように設計する場合に補助共振（２次共振）の特性が充分に現れる技術的効果がある。
【００８８】
すなわち、受信部３００の負荷の等価抵抗が相対的に小さいときは、図１０の（ａ）に示したように、コンデンサＣｓを直列に接続する反面、受信部３００の負荷の等価抵抗が相対的に大きいときは、図１０の（ｃ）に示したように、コンデンサＣｐを並列に接続するように設計する。
【００８９】
また、図１０の（ａ）及び（ｃ）に示した回路図を使うことができない場合（すなわち、受信部３００の負荷の等価抵抗が中間範囲に属する場合）には、受信部３００の共振部に直列コンデンサＣｓ及び並列コンデンサＣｐの両者を付け加えれば、補助共振（２次共振）特性が充分に現れる。
【００９０】
一方、図１０では負荷の等価抵抗によって回路図が変わるものを例示したが、スイッチを与えて単一回路でも負荷の等価抵抗によって直列／並列コンデンサが接続されるように設計することも本出願の他の権利範囲に属する。
【００９１】
図１１は、図６に示した送信部の構造の一例を示している。以下、図１１を参照して、固定周波数を用いる送信部２００によって補助共振を発生させる原理を説明する。
【００９２】
図１１に示したように、送信部２００（冷蔵庫本体）はオシレータ１５１０、インバータ１５２０、及び共振部１５３０で構成され、上記共振部１５３０はコイル１５３１及びコンデンサ１５３２で構成される。
【００９３】
以前にも説明したように、送信部２００（冷蔵庫本体）が単独で存在するとき（棚１００が付着されなかった状態）、送信部２００の共振器の共振周波数をｆ１、上記受信部３００が装着されたときにさらに生成される共振周波数をｆ２とすると、ｆ２＞２ｆ１となるように、該当の距離で受信部３００の直列コンデンサ又は並列コンデンサを設定し（以前の図１０などを参照）、図１１、図１２又は図１３に示した送信部２００の構成によって無線電力の伝送が可能である。
【００９４】
さらに生成される２次共振周波数であるｆ２の周辺の固定周波数で送信部２００を駆動すれば、送信部２００が単独で存在するときに発生する送信部２００の共振部の共振周波数（ｆ１）、又は他の金属異物が近接するときに発生する送信部２００の共振部の共振周波数は、共振周波数（ｆ２）とは非常に違うため、送信部２００の共振部には非常に少ない電流のみ流れることになる。
【００９５】
したがって、金属物質による誘導加熱は非常に低い水準であり、受信部３００（棚１００）が整列されたとき、補助共振の特性によってエネルギが充分に伝送される技術的効果がある。
【００９６】
図１１はこのような方法を用いる送信部２００の構造の一例を示す。上記オシレータ１５１０は駆動しようとする周波数のパルス（ＰＵＬＳＥ）形態の出力を有し、上記インバータ１５２０はＤＣパワーを該当の周波数成分のＡＣパワーに変換する。また、上記インバータ１５２０から出力されるＡＣパワーを送信部２００の共振器１５３０のコイル１５３１に流すことによって受信部３００との磁気結合が発生してエネルギを伝送するようになる。
【００９７】
図１２は、図６に示した送信部の構造の他の一例を示している。以下、図１２を参照して、位相（phase）を感知する送信部２００によって、補助共振を発生させる受信部３００を感知する方法を説明する
【００９８】
図１２に示したように、送信部２００（冷蔵庫本体）は、電圧制御型オシレータ（ＶＣＯ）１６１０、低域通過フィルタ（Low Pass Filter）１６２０、位相感知器１６３０、位相センサ１６４０、インバータ１６５０及び共振部１６６０を含む。上記共振部１６６０はコイル１６６１及びコンデンサ１６６２で構成される。
【００９９】
図１２は、送信部２００（冷蔵庫の本体）と受信部３００（棚１００）とが整列されるとき、送信部２００の共振部１６６０での明らかな電流／電圧間の位相差の変化を観測して受信部３００（棚１００）を感知する方法である。図１１と比較して説明すると、図１１のオシレータ１５１０は電圧制御型オシレータ（ＶＣＯ、Voltage Controller Oscillator）に変更され、送信部２００の共振部１６６０の整流とインバータ１６５０の駆動周波数との位相差を感知するための位相センサ１６４０、位相比較器１６３０、及びフィードバックシステムが発振しないようにするＬＰＦ１６２０が付け加えられた。
【０１００】
動作アルゴリズムは次の通りである。
【０１０１】
まず、図１２に示した送信部２００はｆ２（補助共振周波数又は２次共振周波数という）より高い周波数で駆動し始め、受信部３００が整列されたときにのみ発生する送信部２００の共振部の特定の電圧／電流位相差を有する動作点（operating point）をｆ２を含む特定の周波数範囲内で探索する。図４に示したように、２次共振はいずれか一つの特定周波数ではない所定の周波数帯域で発生するので、上記特定周波数範囲は少なくとも図４に示した２次共振が発生し得る周波数帯域の一部を含むかあるいは上記２次共振周波数帯域の全体を含むことができる。また、上記特定周波数範囲は上記２次共振周波数帯域より広く又は狭く設定されることもできる。
【０１０２】
該当の特定周波数範囲内で動作点の発見（探索）が不可能（cannot be found）な場合、異物（棚１００ではない他の金属）が近接したかあるいは受信部３００（棚１００）が分離されたと判断し、送信部２００に供給される電源をオフさせる。
【０１０３】
一方、該当の特定周波数範囲内で動作点が発見（探索）された（found）場合には、受信部３００（棚１００）が整列された状態であると判断し、該当の位相差が維持される限り、持続的にエネルギ（電力）を伝送するように設計する。
【０１０４】
図１１に示した固定周波数駆動方式に比べ、図１２に示したいわゆる位相感知法は次のような利点がある。
【０１０５】
第一に、受信部３００（棚１００）の整列状態を感知して待機電力を減らす技術的効果がある。第二に、異物の整列状態を感知して誘導加熱の可能性を防止する技術的効果がある。第三に、送受信部の構成分子（部品）（constituent elements）に散乱（散布）（scattering）が発生しても一定した動作点を維持することができる技術的効果がある。
【０１０６】
図１３は、図６に示した送信部構造のさらに他の一例を示している。以下、図１３を参照して、入力電力を感知する送信部２００によって補助共振を発生させる原理を説明する。
【０１０７】
図１３に示したように、送信部２００（冷蔵庫本体）は、電圧制御型オシレータ（ＶＣＯ）１７１０、増幅器（Amplifier）１７２０、低域通過フィルタ（Low Pass Filter）１７３０、入力電流感知器１７４０、インバータ１７５０及び共振部１７６０を含む。上記共振部１７６０はコイル１７６１及びコンデンサ１７６２で構成される。
【０１０８】
補助共振（又は２次共振）周波数であるｆ２で動作するとき、受信部３００（棚１００）が整列されたときにのみ電力が大きく伝達され、負荷別及び距離別の効率差は大きくないので、受信部３００の電力を制御したい場合、送信部２００で電力を制御することが可能である。
【０１０９】
図１３はこのような特徴を用いる送信部電力制御方法を示す。図１１に示した固定周波数駆動方法に比べ、電力を測定するための入力電流感知器１７４０、入力電流には駆動周波数成分が混じっているのでこれを除去するための低域通過フィルタ（ＬＰＦ）１７３０、及びフィルタリングされた入力電流値を特定値でフィードバックさせレファレンス電圧及びＯＰＡＭＰ１７２０が付け加えられた。
【０１１０】
図１３に示した電力制御方法の駆動アルゴリズムは次の通りである。
【０１１１】
送信部２００（冷蔵庫本体）は上記ｆ２より高い周波数で駆動し始め、特定の入力電流を有する動作点をｆ２を含む特定の周波数範囲内で探索する。
【０１１２】
該当の特定周波数範囲内で動作点の発見（探索）が不可能な場合、異物（棚１００ではない他の金属）が近接したかあるいは受信部３００（棚１００）が分離されたと判断し、送信部２００に供給される電源をオフさせる。
【０１１３】
一方、該当の特定周波数範囲内で動作点が発見（探索）された場合には、受信部３００（棚１００）が整列された状態であると判断し、該当の入力電圧が維持される限り、持続的にエネルギ（電力）を伝送するように設計する。
【０１１４】
図１１に示した固定周波数駆動方式に比べ、図１３に示したいわゆる入力電力感知方法は次のような利点がある。
【０１１５】
第一に、受信部３００（棚１００）の整列状態を感知して待機電力を減らす技術的効果がある。第二に、異物の整列状態を感知して誘導加熱の可能性を防止する技術的効果がある。第三に、送受信部の構成分子に散乱が発生しても一定の動作点を維持することができる技術的効果がある。第四に、送信部２００（冷蔵庫本体）及び受信部３００（冷蔵庫の棚１００）のそれぞれのコイル間の結合が変更されても（例えば、送信部２００のコイルと受信部３００のコイルとの間の距離変更など）、一定の動作点を維持させることができる技術的効果がある。第五に、静電力駆動によって安定した負荷駆動が可能である。例えば、ＬＥＤ負荷の場合、別途の静電流駆動器が必要でない利点がある。
【０１１６】
前述したように、本出願の一例による無線電力伝送システムを用いて冷蔵庫を設計すれば、着脱可能なそれぞれの棚１００に光源（すなわち、ＬＥＤ）を構築することが可能である。
【０１１７】
従来技術によると、冷蔵庫内の着脱可能な棚１００に装着されるＬＥＤの場合、接点方式のコネクタを用いるので、老化及び腐食の危険を持っている。しかし、本出願の一例はこのような問題点を解決することができる。
【０１１８】
冷蔵庫の内側壁面に送信部２００を装着し、棚１００に受信部３００を装着し、補助共振点を用いて無線で電力を伝送することにより、棚１００に効果的に電力を無線で伝送するだけでなく、棚１００を取り出し、アルミニウム素材の飲料水缶又は鉄系の鍋などを載せても、これらが誘導加熱されるかあるいは過度な共振によって送信部２００が破損されないようにすることが可能である。前述したように、本出願の一例は補助共振点（２次共振点）を用いてこのようなおそれの事項を全て解決することができるので、非常に有用である。
【０１１９】
一方、冷蔵庫の本体に内蔵された送信部２００のコイル及び冷蔵庫の棚１００に内蔵された受信部３００のコイルはいずれもＰＣＢコイルで製作され、コイルにはＭｎＺｎ系のフェライト（遮蔽部材）を重ねて当てることによって送受信コイル間の相互インダクタンスを増加させた。
【０１２０】
上記遮蔽部材は送信部２００及び受信部３００のいずれにも適用可能であり、遮蔽部材の厚さは１．２〜１０ｍｍ程度が適当である。また、上記遮蔽部材は堅い（rigid）プレート（plate）だけでなくフレキシブルなシート（sheet）でもなることができる。
【０１２１】
また、送信部２００の共振部の具体的な仕様は、例えばコイルインダクタンスは約９．３μＨ、直列コンデンサは約１００ｎＦ、そして送信部２００単独で存在する場合の共振周波数は約１５０ｋＨｚである。
【０１２２】
一方、受信部３００の共振部の具体的な仕様は、例えばコイルインダクタンスは約３６μＨ、直列コンデンサは約４．７ｎＦ、並列コンデンサは約２．２ｎＦ、そして送信部２００と受信部３００との結合時に発生する補助共振周波数は約３５０ｋＨｚである。もちろん、送信／受信部の結合状態によって上記補助共振周波数は違うことができ、送信部２００と受信部３００とが約９ｍｍの間隔で整列されたときの実験値である。
【０１２３】
最後に、受信部３００の負荷の具体的な仕様は、例えば負荷の種類としてはＬＥＤ負荷を使い、等価負荷抵抗は約５０Ωである。
【０１２４】
一方、本出願の他の一例として、それぞれの棚１００が異なる（他の）（different）色（カラー）（color）又は明るさの光を発光するように設計することも可能である。これを具現するために、それぞれの棚１００の側面に位置する冷蔵庫本体（送信部２００）に供給される電力の量を異なるように（差別的に）（differentially）調節することができる。また、無線電力伝送モジュールに電圧（電源）（voltage）が印加されれば電力が伝送され、電圧が遮断されれば電力伝送が遮断される原理を用いて電源をオフしたりオンしたりする（オフさせてからオンさせる）デューティサイクル（duty cycle at which the power supply is turned on or off）を調節してディミング（dimming）を具現することができる。さらに、図４に示したように、補助共振周波数から駆動周波数が高くなるほど電力伝送が低くなる点に基づき、駆動周波数を用いてディミング（dimming）を具現することができる。すなわち、補助共振周波数から漸次的に駆動周波数を高めて光源の明るさを漸次的に減らすことができる。反対に、補助共振周波数まで漸次的に駆動周波数を減少させて光源の明るさを漸次的に増加させることができる。
【０１２５】
上記棚１００の照明のディミング（dimming）技術は、冷蔵庫ドアの開放時に照明を徐々に明るくして視認性を高める効果があり、冷蔵庫の周辺温度又は時間によって棚１００の照明の明るさを調節することができる。上記ディミング技術は多様な色（例えば、Ｒ、Ｇ、Ｂ）を組み合わせてカラー照明も可能にする。
【０１２６】
先に詳細に説明したように、複数のコイルを用いた無線電力伝送システムにおいて、送信部は予め設定された電圧を受信するモジュール、流れる電流によって磁束（magnetic flux）を発生させる第１コイル及び第１コイルと直列に接続されて第１共振周波数を発生させる第１コンデンサを含むことができる。上記送信部から離隔した受信部は、電力を消費する負荷、第１コイルと磁束を鎖交して電流を誘導する第２コイル、並びに受信部が送信部と整列されたときに補助共振を発生させることができるように上記負荷の等価抵抗によって第２コイルと直列に接続された第２コンデンサ若しくは並列に接続された第３コンデンサを含むことができる。
【０１２７】
このような無線電力伝送システムは、送信部と受信部とが整列されたときに発生する補助共振点を用い、受信部が脱離されたときに送信部コイルで過度な共振エネルギ（電流）が発生する問題点及び伝送部と受信部とが脱離された後に金属異物が近接するときに上記金属異物を誘導加熱させる問題点を解決することができる。また、上記無線電力伝送システムは、受信部が脱離されたときに待機電力を最小にすることができる。その上、無線電力伝送システムは不必要な回路を最小にすることによって単純化し、高効率を達成することができる。
【０１２８】
先に図２〜図１３を参照して説明した回路的構成、つまり機能的構成を含むとともに、送信部２００及び受信部３００は冷蔵庫の棚１００に多様な機械的構成、つまり構造的構成を有するように適用されることができる。このような機械的構成のうち、送信部２００及び受信部３００の配置が設計的観点で重要であり得るので、先に考慮する必要がある。より詳細には、送信部２００及び受信部３００の配置が決定されれば、棚１００及び関連構造がこのような配置に基づいて容易に設計可能である。よって、図１４は冷蔵庫の貯蔵室及び棚を概略的に示す斜視図であり、以下で送信部２００及び受信部２００の配置を図１４に基づいて説明する。
【０１２９】
前述したように、棚１００は貯蔵室２内の取付けのために側壁１５又は後壁１３によって支持されることができる。また、送信部２００及び受信部３００は、磁束、つまり電磁波を用いて無線で電力を伝送するためには互いに向き合っていなければならない。したがって、互いに向き合う棚１００及び冷蔵庫（貯蔵室２）の部分、つまり棚１００の側部１００ａ、１００ｂ／側壁１５ａ、１５ｂ又は棚１００の後方部１００ｃ、１００ｄ／後壁１３ａ、１３ｂに送信部２００及び受信部３００が取り付けられることができる。実在に棚１００は薄板の形状を有するので、その側部１００ａ、１００ｂ又は後方部１００ｃ、１００ｄは送信部２００又は受信部３００を直接設置するのに適切でないこともある。よって、図示のように、送信部２００又は受信部３００の取付けのためのフランジ１００ｅ、１００ｆが棚の側部１００ａ、１００ｂ及び後方部１００ｃ、１００ｄにそれぞれ提供されることができる。
【０１３０】
送信部２００は側壁１５ａ、１５ｂに配置されることもでき、後壁１３ａ、１３ｂに配置されることもできる。また、受信部３００は上記送信部２００と向き合うように棚１００の側部１００ａ、１００ｂ又は後方部１００ｃ、１００ｄに配置されることができる。送信部２００及び受信部３００が側壁１５ａ、１５ｂ及び棚１００の側部１００ａ、１００ｂにそれぞれ配置される場合、このような送信部２００及び受信部３００は使用者によく見えないので、冷蔵庫の外観が向上することができる。したがって、送信部２００及び受信部３００を側壁１５ａ、１５ｂ及び棚１００の側部１００ａ、１００ｂにそれぞれ配置することを先に考慮することができる。図１６〜図４５で説明する棚１００はこのように配置された送信部２００及び受信部３００を有する。より詳細には、受信部３００は受信した電圧を棚の光源に供給するために棚１００の側部１００ａ、１００ｂに取り付けられることができ、送信部２００は外部電源と接続されるとともに受信部３００と向き合うように側壁１５ａ、１５ｂに取り付けられることができる。一方（alternatively）、後壁１３ａ、１３ｂの後側には多様な機械装置が電源と接続されて配置されるので、送信部２００が後壁１３ａ、１３ｂに配置されれば、外部電源に容易に接続されることができる。したがって、後述する図４６及び図４７の例のように、送信部２００及び受信部３００が後壁１３ａ、１３ｂ及び棚１００の後方部１００ｃ、１００ｄにそれぞれ配置されることもできる。
【０１３１】
棚１００は前述したように配置された送信部２００及び受信部３００と機能的及び構造的に最適に接続されるように設計することができる。このような棚１００を関連図面に基づいて以下で詳細に説明する。図１６ａ及び図１６ｂは本出願による棚を左側及び右側からそれぞれ見た斜視図、図１７及び図１８は図１６の棚の分解斜視図である。また、図１９はカバー、受信部及び送信部を含む棚の部分斜視図、図２０ａは受信部及び光源部のアセンブリを示す平面図、図２０ｂはカバーの内部構造を詳細に示す平面図である。
【０１３２】
図１及び図１４を参照して説明したように、貯蔵空間を効率的に使うために、複数の棚１００が後壁１３に支持されるとともに上記貯蔵室２の左右側にそれぞれ配置されることができる。図１６ａは冷蔵庫を正面から見たとき、貯蔵室２の左側に配置される棚１００を示し、図１６ｂは冷蔵庫を正面から見たとき、貯蔵室２の右側に配置された棚１００を示す。前述したように、また図１９、図２１及び図２３にも示したように、送信部２００及び受信部３００は無線電力送受信のために互いに向き合うように、側壁１５及び上記側壁１５と向き合う棚１００の側部に配置されることができる。このような場合、図１６ａの棚１００において、左側部１００ａが左側壁１５ａと向き合うので、受信部３００は棚１００の左側部１００ａに配置され、送信部２００は左側壁１５ａに配置されることができる。また、図１６ｂの棚１００の場合、右側部１００ｂが右側壁１５ｂと向き合うので、受信部３００は棚１００の右側部１００ｂに配置され、送信部２００は右側壁１５ｂに配置されることができる。また、図示の棚１００は、左右側にそれぞれ配置されるために後壁１３上に固定又は支持されるので、図示したように左右側ブラケット１２１ａ、１２１ｂを有することができる。これらのブラケット１２１ａ、１２１ｂは棚１００の左右側部１００ａ、１００ｂをそれぞれなし、受信部３００の取付けに十分な空間を提供することができる。したがって、図１６ａの棚１００の場合、受信部３００が左側ブラケット１２１ａに取り付けられ、図１６ｂの棚１００の場合、受信部３００が右側ブラケット１２１ｂに取り付けられることができる。このようなブラケット１２１ａ、１２１ｂのアセンブリは後でより詳細に説明する。一方、図１及び図１６に示したものとは違い、冷蔵庫が左右側壁１５ａ、１５ｂにかけて連続して伸びる単一棚１００を有する場合、送信部２００及び受信部３００は左側壁１５ａ／棚左側部１００ａ及び右側壁１５ｂ／棚右側部１００ｂのいずれか一つに選択的に取り付けられることができる。
【０１３３】
このような基本的な構成に続いて、前述した図面をさらに参照して棚１００の詳細な構成を説明すると次の通りである。
【０１３４】
まず、棚１００は棚部材１１０を含むことができる。棚部材１１０上には冷蔵庫内に貯蔵される食品が置かれることができる。棚部材１１０は、上記食品を実質的に支持するプレート（plate）１１０ａを含むことができる。上記プレート１１０ａは実質的に棚部材１１０の大部分を占め、これによって上記棚部材１１０の胴体を形成することができる。プレート１１０ａは食品の安定的な支持のために十分な強度を有することができる。プレート１１０ａはその上に置かれた食品だけではなく他の棚１００のプレート１１０ａに置かれた食品も容易に識別することができるように透明部材でなることができる。また、棚部材１１０はプレート１１０ａの両側部にそれぞれ配置されるレール（rail）１１３ａ、１１３ｂを含むことができる。このようなレール１１３ａ、１１３ｂはプレート１１０ａの両側を支持するように構成されることができる。より詳細には、図２４に明らかに示すように、レール１１３ａ、１１３ｂはその上部に形成されて長手方向に伸びるリセス（recess）１１３ｃを含むことができる。プレート１１０ａの側部はこのようなリセス１１３ｃ内に安定的に支持されることができる。また、棚部材１００はプレート１１０ａの前端部及び後端部にそれぞれ配置される前方カバー１１１及び後方カバー１１２を含むことができる。前方及び後方カバー１１１、１１２は露出されるプレート１１０ａの前後端部を保護するとともに棚１００の外観を向上させることができるデザインを有することができる。より詳細には、後方カバー１１２はその上部に取り付けられるバリア（barrier）１１２ａを有することができる。バリア１１２ａは後方カバー１１２から所定高さまで突出し、これによって棚部材１１０上に置かれる食品が棚の後方に落下することを防止することができる。このような棚部材１１０の組立ての際、まずプレート１１０ａがレール１１３ａ、１１３ｂのリセス１１３ｃ上に装着され、固定手段、例えば接着剤１１３ｆによって上記リセス１１３ｃ上に固定されることができる。また、このようなプレート１１０ａ−レール１１３ａ、１１３ｂの予備アセンブリ（preliminary assembly）の前方端及び後方端に上記カバー１１１、１１２がそれぞれ結合され、プレート１１０ａだけでなくレール１１３ａ、１１３ｂの末端もカバー１１１、１１２によって保持される（held）ことができる。よって、このような過程によって、プレート１１０ａ、レール１１３ａ、１１３ｂ及びカバー１１１、１１２は一つのアセンブリ、つまり棚部材１１０として形成されることができる。
【０１３５】
また、棚１００は後壁１３に対して上記棚部材１１０及びその上に置かれた食品を支持するように構成されるブラケット１２０を含むことができる。ブラケット１２０は棚部材１１０の下側に配置され、棚部材１１０の底部を支持することができる。ブラケット１２０は棚部材１１０の安定的な支持のために棚部材１１０の両側部にそれぞれ配置される左側及び右側ブラケット１２１ａ、１２１ｂでなることができる。より詳細には、このような左右側ブラケット１２１ａ、１２１ｂは棚部材１１０の左右側の下側に配置され、棚部材１１０の底部の左右側部をそれぞれ支持することができる。左右側ブラケット１２１ａ、１２１ｂは棚部材１１０の安定的な支持のために棚部材１１０の左右側部に沿って長く伸びることができる。また、ブラケット１２０は左右側ブラケット１２１ａ、１２１ｂを支持するように構成されるバー（bar）１２２ａ、１２２ｂを含むことができる。バー１２２ａ、１２２ｂは左右側ブラケット１２１ａ、１２１ｂの間に配置され、左右側ブラケット１２１ａ、１２１ｂに垂直に配向されることができる。また、バー１２２ａ、１２２ｂは左右側ブラケット１２１ａ、１２１ｂの前方及び後方にそれぞれ配置されることができる。バー１２２ａ、１２２ｂはブラケット１２１ａ、１２１ｂにボルトなどの固定部材で結合されることができ、あるいはブラケット１２１ａ、１２１ｂに直接熔接されることもできる。上記バー１２２ａ、１２２ｂは外力によるブラケット１２１ａ、１２１ｂのねじれや変形を防止することができ、よって棚１００の強度を増加させることができる。このようなバー１２２ａ、１２２ｂは、適切な強度を有する限り、円形、楕円形、四角形などの多様な断面形を有することができる。例えば、図１６ｃに示したように、前方バー１２２ａは円形の断面を有する円柱部材でなるが、後方バー１２２ｂは四角形の断面を有するプレート部材でなることができる。
【０１３６】
ブラケット１２０は棚部材１１０を支持するために後壁１３に固定されるか支持されるように構成されることができる。このような固定及び支持のために、後壁１３は上記ブラケット１２０の後端がかかって支持されることができる装着孔１８を含むことができる。一方、食品の高さ及び大きさは互いに違うので、このような食品を効率的に貯蔵するために、棚１００は垂直方向、つまり上方又は下方に移動可能に構成されることができる。よって、図１、図２１及び図２３に示したように、複数の装着孔１８が垂直に一列に配置されることができる。また、このような複数の装着孔１８の列（column）は左右側ブラケット１２１ａ、１２１ｂにそれぞれ提供されることができる。ブラケット１２１ａ、１２１ｂがいずれか一つの装着孔１８から分離されて他の高さを有する他の装着孔１８に結合されれば、棚１００の高さが変化することができる。
【０１３７】
より詳細には、図１６〜図１９及び図２２に詳細に示したように、ブラケット１２０は後壁１３、つまり装着孔１８に結合される第１係止片１２３ａ及び第２係止片１２３ｂを含むことができる。第１及び第２係止片１２３ａ、１２３ｂはブラケット１２０の後端部に提供され、上記後端部の上部及び下部にそれぞれ配置されることができる。上記第１係止片１２３ａと上記第２係止片１２３ｂとは互いに異なる装着孔１８に結合されることにより、上記ブラケット１２０を上記後壁に固定することができる。上記第１係止片１２３ａは全体的に（generally）‘Ｌ’字形、つまりアングル形に形成され、上記ブラケット１２０の後端の上側に提供されることができる。上記第１係止片１２３ａは上記装着孔１８に挿入されれば、上記装着孔１８の上側にかかり、上記ブラケット１２０の前端部が下方に垂れることを防止することができる。上記第２係止片１２３ｂは上記第１係止片１２３ｂの下部に提供され、上記装着孔１８に挿入されることができる。上記第２係止片１２３ｂが上記装着孔１８に挿入されれば、上記ブラケット１２０が上記第１係止片１２３ａを中心に後壁１３に向かって回転（pivot）することを防止し、よって上記ブラケット１２０の前端が下方に垂れることを防止することができる。上記第２係止片１２３ｂは機能的な違いによって上記第１係止片１２３ａとは違う形状を有することが可能である。例えば、上記第２係止片１２３ｂは、図示のように、上記ブラケット１２０の後方から後方に向かって突出したピン（pin）形状を有することができる。
【０１３８】
上記装着孔１８において、上記第１係止片１２３ａに挿入されるための装着孔と上記第２係止片１２３ｂに挿入されるための装着孔とが隣り合って配置されて対を形成することができる。例えば、上記第１係止片１２３ａが挿入されるための装着孔の大きさは上記第２係止片１２３ｂが挿入されるための装着孔の大きさより大きくなることができる。このような場合、上記第１係止片１２３ａに挿入されるための装着孔と上記第２係止片１２３ｂに挿入されるための装着孔とが対をなすように順次配置されることが可能である。また、このような装着孔の対は、前述したように、後壁１３に垂直に一列に配置されることができる。
【０１３９】
一方、使用者は棚１００の後方に置かれた食品を取り出しにくいことがあり得る。よって、食品を容易に（易しく）（easy）取り出すことができるように、棚１００は水平方向、つまり前方及び後方に移動可能に構成されることができる。実際的に、棚１００の全体をこのように移動させることは構造的に難しくなることができるので、棚１００の棚部材１１０が前方及び後方に移動可能に構成されることができる。このような前後方への移動のために、棚部材１１０のレール１１３ａ、１１３ｂはブラケット１２０にスライド可能に支持されるか結合されるように構成されることができる。図２４は図１６ａのＡ−Ａ線に沿って得られた断面図、図３７は棚部材のレールを示す斜視図及び部分拡大図である。より詳細には、図２４はプレート１１０ａ及び右側ブラケット１２１ｂと一緒に右側レール１１３ｂを示し、図３７は関連の他の部材なしに右側レール１１３ｂのみを示す。これらの図面を参照し、前後方移動のためのメカニズム及びレールの詳細な構成を以下で説明する。
【０１４０】
図２４に示したように、ブラケット１２０、つまり右側ブラケット１２１ｂは右側レール１１３ｂをスライド可能に支持するように構成されたフランジ１２１ｃを含むことができる。フランジ１２１ｃはレール１１３ｂの底面を支持するように内方に伸びることができる。レール１１３ｂは、下方に伸び、フランジ１２１ｃの外側面上で支持される第１フランジ１１３ｄを含むことができる。また、レール１１３ｂは同様に下方に伸び、フランジ１２１ｃの内側面で支持される第２フランジ１１３ｅを含むことができる。第２フランジ１１３ｅはまた水平に外方に伸びる延長部を含むことができ、より安定的な支持のためにフランジ１２１ｃを取り囲むことができる。よって、レール１１３ｂはこのような第１及び第２フランジ１１３ｄ、１１３ｅによって案内されながらフランジ１２１ｃに沿って移動することができる。このような第１及び第２フランジ１１３ｄ、１１３ｅ及びフランジ１２１ｃは左右レール１１３ａ、１１３ｂ及びブラケット１２１ａ、１２１ｂに同様に適用されることができる。よって、図１６ｄに示したように、左右レール１１３ａ、１１３ｂによって棚部材１１０が前方及び後方に移動することができる。棚部材１１０が前方に移動すれば、食品は使用者に近接することができ、よって使用者は便利に食品を取り出すことができる。一方、フランジ１２１ｃの上面がレール１１３ｂの底面と全体で接触すれば、面接触による相対的に大きな摩擦抵抗が発生し得る。よって、図２４に示したように、レール１１３ｂはその底面に形成される突出部１１３ｈを含むことができる。突出部１１３ｈは第１及び第２フランジ１１３ｄ、１１３ｅの間に配置されるように概して幅方向においてレール１１３ｂの底部の中央部に配置され、下方にフランジ１２１ｃに向かって伸びることができる。突出部１１３ｈはフランジ１２１ｃと相対的に小さい接触面を有するので、レール１１３ｂは大きな抵抗なしにフランジ１２１ｃに沿って移動することができる。よって、図１６ｄに示したように、棚部材１１０はより円滑に前方及び後方に左右レール１１３ａ、１１３ｂ及びブラケット１２１ａ、１２１ｂによって支持されながら移動することができる。
【０１４１】
冷蔵庫は前述したような移動可能な棚部材１１０を有する棚１００だけでなく、上記棚部材１１０が動かないようにブラケット１２１ａ、１２１ｂに固定された棚１００も含むことができる。例えば、使用者は貯蔵室２の上部に配置された棚１００の後方に置かれた食品を取り出すことは難しいが、貯蔵室２の下部に配置された棚１００の後方に置かれた食品を比較的容易に取り出すことができる。したがって、貯蔵室２の上部の棚１００には移動可能な棚部材１１０が適用されることができ、貯蔵室２の下部の棚１００には固定されて移動できない棚部材１１０が適用されることができる。すなわち、棚１００の相対的位置及び他の要件を考慮して上記移動可能な棚部材１１０を選択的に適用することができる。
【０１４２】
前述したように、リセス１１３ｃ内に装着されたプレート１１０ａは接着剤１１３ｆによってリセス１１３ｃの底面上に固定されることができる。このような固定をより効率的に行うために、多様な更なる構成がレール１１３ａ、１１３ｂに付け加えられることができる。図２４及び図３７はそのような構成をよく示す。まず、プレート１１０ａがリセス１１３ｃの底部に固定されるとき、プレート１１０ａが加圧されることができる。このような加圧によって接着剤１１３ｆがリセス１１３ｃの外部に流出することができ、棚１００の外観を阻害することができる。このような理由で、レール１１３ａ、１１３ｂの上部、正確にはリセス１１３ｃの底面には、図２４及び図３７に示したように、溝１１３ｇが形成されることができる。上記溝１１３ｇはリセス１１３ｃ上で流動する接着剤１１３ｆを収容し、よって接着剤１１３ｆがリセス１１３ｃの外部に流出することを防止することができる。接着剤１１３ｆの流出をより効果的に防止するために、一対の溝１１３ｇがリセス１１３ｃの底面上に形成されることができる。これらの一対の溝１１３ｇは互いに所定間隔で離隔し、レール１１３ａ、１１３ｂの長手方向に伸びることができる。よって、これらの溝１１３ｇの間に実質的な接着面１１３ｋが形成されることができる。また、リセス１１３ｃの底面上にはスペーサ（spacer）１１３ｉが形成されることができる。スペーサ１１３ｉはリセス１１３ｃの底面から上方に所定長さで伸びることができる。プレート１１０ａは実質的にこのようなスペーサ１１３ｉ上に置かれ、上記スペーサ１１３ｉによってプレート１１０ａとリセス１１３ｃとの間には接着剤１１３ｆが充填可能な空間が形成されることができる。このような理由で、スペーサ１１３ｉは一対の溝１１３ｇの間に、より詳細には接着面１１３ｋ上に配置されることができる。棚部材１１０の組立ての際、スペーサ１１３ｉの上部には接着部材、例えば両面テープが付けられることができ、プレート１１０ａが上記スペーサ１１３ｉ上に予備的に付着されることができる。その後、プレート１１０ａは接着剤１１３ｆによってレール１１３ｂに最終的に固定されることができる。このような固定作業中、接着剤１１３ｆは上記溝１１３ｇによって外部に流出せずにプレート１１０ａの固定に全部使われることができる。よって、前述した構成によって、棚１００の外観を損なわなく、プレート１１０ａはレール１１３ａ、１１３ｂによって堅固に固定されることができる。
【０１４３】
また、棚１００は、受信部３００から電源を受けて光を照射するように構成される光源部１４０を含むことができる。図２５は棚の光源部の上部（top）を示す平面図、図２６ａは図２５のＢ−Ｂ線に沿って得られた断面図、図２６ｂは図１６ａのＣ−Ｃ線に沿って得られた断面図である。図２７は前方に光を照射するように構成された棚の光源部を示す斜視図、図２８は下方に光を照射するように構成された棚の光源部を示す斜視図である。また、図２９は図２７の光源部の底部（bottom）を示す平面図、図３０ａ及び図３０ｂはブラケットに結合された光源部を示す部分斜視図である。また、図３６ａ〜図３６ｅは光源部の右側及び左側キャップを示す斜視図及び上記キャップを示す平面図、正面図及び右側面図である。図３８は冷蔵庫の内部を照明する壁体（wall）の光源を示す冷蔵庫の正面図、図３９は冷蔵庫の内部を照明する壁体光源及び棚の光源部を示す冷蔵庫の断面図である。これらの図面に基づいて光源部１４０を詳細に説明すると次の通りである。また、図１６〜図２０は棚１００の全体構造を詳細に示すので、以下の説明で一緒に参照する。
【０１４４】
冷蔵庫の内部空間、つまり貯蔵室２は暗いから、使用者が貯蔵された食品を容易に捜すことができない。よって、図３８及び図３９に示したように、冷蔵庫の内部、つまり貯蔵室２を照明するために光源６０Ａ、６０Ｂが提供されることができる。上記貯蔵室２の均一な照明のために、光源６０Ａ、６０Ｂは、例えば上側壁１２に取り付けられることができ、上側壁１２の前方部及び後方部にそれぞれ配置されることができる。しかし、光源６０Ａ、６０Ｂから放出された光は棚１００及びその上に置かれた物品によって遮られて貯蔵室２の全領域に到逹することができない。よって、光源６０Ａ、６０Ｂに加え、棚１００に光源部１４０が取り付けられれば、このような光源部１４０は棚１００の間の空間を直接照明することができる。このような理由で、棚１００に取り付けられた光源部１４０によって使用者は棚１００に置かれた物品をより易しく（clearly）確認することができ、貯蔵室２を均一に照明することができる。また、一般に、貯蔵室２の後方部が前方部に比べてより暗いから、前方光源６０Ａも、図３９に示したように、貯蔵室２の後方部の照明のために、上記後方部に向かって配向されることができる。よって、貯蔵室２の前方部が相対的に貯蔵室２の後方部に比べて照明が不足であることがあり得る。このような理由で、貯蔵室２の前方部を照明することができるように、光源部１４０は棚１００の前方部に配置されることができる。また、光源部１４０は均一な照明のために棚１００の前方部に沿って連続して伸びることができる。実際的に光源部１４０はブラケット１２１ａ、１２１ｂの間に配置され、その左右側両端がブラケット１２１ａ、１２１ｂに結合されることができる。このような光源部１４０は貯蔵室２の前方部の照明を補うことができる。また、図３９に示したように、光源部１４０から放出された光は直下にある食品又は他の棚によって反射されることができ、これによって貯蔵室２をより均一に照明することができる。また、図３９に示したように、冷蔵庫は棚１００の中央部に取り付けられる追加照明部１４０−１及び／又は棚１００の後方部に取り付けられる追加照明部１４０−２を有することができる。このような追加照明部１４０−１、１４０−２は前方の照明部１４０と一緒に貯蔵室２をより均一に照明することができる。
【０１４５】
より詳細には、図１７及び図２５によく示したように、光源部１４０はハウジング１４１を含む。ハウジング１４１は中空管形状の部材でなることができる。また、光源部１４０は光を発光するように構成される光源モジュール１４２を含むことができる。モジュール１４２は、図２９によく示したように、基板１４２ａと基板に付着された発光素子１４２ｂとでなることができる。発光素子１４２ｂは、例えばＬＥＤ（Light Emitting Diode）でなることができる。前述したように、均一な照明のために、光源部１４０は棚１００の前方部に沿って（along）長く伸びるので、モジュール１４２の基板１４２ａも同様に長く伸びたストリップ部材で形成され、発光素子１４２ｂも基板１４２ａに沿って所定間隔で一列に配置されることができる。また、受信部３００から電源を受けるために、モジュール１４２は基板１４２ａに接続される配線１４２ｃ、１４２ｄを含むことができ、これらの配線１４２ｃ、１４２ｄは光源部１４０の外部に伸びて受信部３００に接続されることができる。このようなモジュール１４２は、外部の環境から保護されるために、ハウジング１４１内に収容される。また、ハウジング１４１は、モジュール１４２で生成された光を所望の方向に照射するために、特定の部分を除いた残りの部分は不透明になる。すなわち、上記ハウジング１４１は、光を通過させないように構成される遮光部、及び光を通過させるように構成される透明部、つまりウィンドウ１４１ｃ（図２９参照）を含むことができる。
【０１４６】
また、図２６ａ、図２６ｂ及び図３６ａ〜図３６ｅによく示したように、光源部１４０はハウジング１４１の両端を閉鎖するように構成されるキャップ１４３を含むことができる。キャップ１４３は、基本的に水分又はその他の異物がハウジング１４１内に進入してモジュール１４２の故障を引き起こすことを防止することができる。キャップ１４３はヘッド１４３ｉ及び上記ヘッド１４３ｉから伸びる延長部１４３ａを含むことができる。ヘッド１４３ｉはハウジング１４１の外部に位置し、ブラケット１２１ａ、１２１ｂと結合されることができる。ヘッド１４３ｉは一部が開放した中空（hollow）の胴体を有することができる。すなわち、ヘッド１４３ｉは内部に所定の空間を形成するコンテナでなることができる。一部が開放しているので、ヘッド１４３ｉの内部空間はアクセス（access）可能である。よって、作業者は、ハウジング１４１の内部からキャップ１４３を通じて光源部１４０の外部に配線１４２ｃ、１４２ｄを容易に引き出すことができる。その一方（in contrast）、延長部１４３ａはハウジング１４１の内部に挿入されてモジュール１４２を保持することができる。すなわち、延長部１４３ａはモジュール１４２を実質的に保持しながら（catching）支持する（supporting）ホルダとなることができる。ハウジング１４１の左右側端にキャップ１４３が取り付けられれば、延長部、つまりホルダ１４３ａはモジュール１４２の左右側部を保持することができる。よって、このようなキャップ１４３、正確には延長部１４３ａを用いて、モジュール１４２はハウジング１４１の内壁から一定の間隔を維持しながらハウジング１４１内で安定的に支持されることができる。
【０１４７】
また、キャップ１４３は、図２５にも示したように、キャップ１４３の胴体とハウジング１４１との間に配置されるシーリング部材１４３ｂをさらに含むことができる。実際的に、シーリング部材１４３ｂは上記延長部１４３ａを取り囲むように配置される。シーリング部材１４３ｂはキャップ１４３、つまり延長部１４３ａとハウジング１４１との間に押し込まれ、これによってハウジング１４１の内部に水分及びその他の異物が進入することを効果的に防止することができる。すなわち、上記シーリング部材１４３ｂは、ハウジング１４１と延長部１４３ａとの間に挿入され、外部物質が上記ハウジング１４１内に進入することを防止する光源部１４０の第１シーリング部を形成することができる。また、キャップ１４３は突起（protrusion）１４３ｃを含むことができる。突起１４３ｃはキャップ１４３の左右側端から長手方向に外方に伸びることができる。図１６〜図２０にもよく示したように、ブラケット１２０は前方部に形成された溝１２１ｄを含むことができる。よって、図３０ａ及び図３０ｂによく示したように、突起１４３ｃを溝１２１ｄに挿入することにより、光源部１４０はブラケット１２０に結合され、安定的に支持されることができる。また、突起１４３ｃはブラケット１２０に直接結合され、ブラケット１２０の外部に露出される部位となる。したがって、このような突起１４３ｃを通じて配線１４２ｃ、１４２ｄが受信部３００と接続されるために、光源部１４０及びブラケット１２０の外部に引き出されることができる。このように引き出すために、突起１４３ｃは、図３０ａ及び図３０ｂによく示したように、貫通孔１４３ｈを含むことができる。受信部２００の位置によって配線１４２ｃ、１４２ｄは左右側突起１４３ｃのうち受信部２００に近接したいずれか一つを通じて引き出されることができる。
【０１４８】
一方、上記延長部１４３ａは、前述したように、モジュール１４２を保持するホルダとしての機能を提供することができる。すなわち、キャップ１４３は、ハウジング１４１の内部に伸びてモジュール１４２を安定的に固定するように構成されるホルダ１４３ａを含むことができる。上記ホルダ１４３ａは図２６ａ及び図２６ｂによく示される。図２６ａはモジュール１４２と結合されたホルダ１４３ａを示すが、図２６ｂではホルダ１４３ａをよりよく示すためにモジュール１４２が省略されている。図２６ａ及び図２６ｂを参照すると、キャップ１４３はモジュール１４２の両端を支持するように構成されるストッパ１４３ｄをホルダ１４３ａとして有することができる。モジュール１４２は一般に所定の長さを有し、この長さは多様な条件、例えば含まれた素子１４２ｂの数によって決定できる。よって、モジュール１４２の長さが先に決定されるので、このようなモジュール１４２の両端と当接してこれらを支持するようにストッパ１４３ｄの大きさ、つまり長さも決定されることができる。上記ストッパ４１３ｄには貫通孔１４３ｋが形成され、ハウジング１４１の内部と外部とが上記貫通孔１４３ｋによって互いに連通することができる。したがって、配線１４２ｃ、１４２ｄは貫通孔１４３ｋを通じてハウジング１４１の外部に引き出されることができ、このような貫通孔１４３ｋは図３０ａ及び図３０ｂにもよく示される。
【０１４９】
また、キャップ１４３は、モジュール１４２の上部を支持するように構成される第１アーム（arm）１４３ｅをホルダ１４３ａとして有することができる。第１アーム１４３ｅはモジュール１４２の上部を支持するようにモジュール１４２の上部に配置されることができる。より詳細には、第１アーム４１３ｅはストッパ１４３ｄの上部からハウジング１４１の内側に所定の長さで伸びることができる。また、キャップ１４３は、モジュール１４２の下部を支持するように構成される第２アーム（arm）１４３ｆをホルダ１４３ａとして有することができる。第２アーム１４３ｆはモジュール１４２の下部を支持するようにモジュール１４２の下部に配置されることができる。より詳細には、第２アーム４１３ｆはストッパ１４３ｄの下部からハウジング１４１の内側に所定の長さで伸びることができる。また、モジュール１４２は長い胴体を持っているので、自重によって下方に垂れることがある。よって、第２アーム４１３ｆは、図示のように、第１アーム４１３ｅより長く形成されることができる。例えば、第２アーム４１３ｆは第１アーム４１３ｅの１．１倍〜３．０倍の長さを有することができる。また、第２アーム４１３ｆは部分的に縮小した幅を有するように構成されることができる。より詳細には、図２６ｂ及び図３６ａ〜図３６ｅによく示したように、第２アーム４１３ｆは、ヘッド１４３ｉから所定の長さで伸びる第１延長部１４３ｆ−１、及び上記第１延長部１４３ｆ−１から伸び、第１延長部１４３ｆ−１より小さい幅を有する第２延長部１４３ｆ−２を含むことができる。第１延長部１４３ｆ−１は第１アーム１４３ｅとほぼ同じ長さを有することができ、これによって第２延長部１４３ｆ−１が第２アーム４１３ｆの伸びた長さ（increased length）をなすようになる。よって、より単純な構造及び少ない素材を用いて第２アーム４１３ｆの意図した長さを確保することができる。このような第２アーム４１３ｆはモジュール１４２の下部のより広い部位を支持することができ、よって長いモジュール１４２を安定的に支持することができる。
【０１５０】
また、前述したように、基板の配線１４２ｃ、１４２ｄはストッパ１４３ｄの貫通孔１４３ｋを通じてハウジング１４１の外部に伸びることができる。よって、上記貫通孔１４３ｋを通じて水分が浸透することができる。このような理由で、図３０ａによく示したように、キャップ１４３のヘッド１４３ｉはシーリング物質１４３ｇで充填されることができる。すなわち、上記シーリング物質１４３ｇはヘッド１４３ｉの内部に提供され、外部物質がハウジング１４１内に進入することを防止する光源部１４０の第２シーリング部を形成することができる。このようなシーリング物質１４３ｇはヘッド１４３ｉ内で配線１４２ｃ、１４２ｄを固定する役目もすることができる。また、図２６ａに示したように、水分及び外部物質によるモジュール１４２の故障をより効果的に防止するために、ホルダ１４３ａ、つまりストッパ１４３ｄ並びに第１及び第２アーム１４３ｅ、１４３ｆの内部及び／又は周りにさらにシーリング部材又は物質１４３ｍが提供されることができる。より詳細には、上記シーリング部材又は物質１４３ｍはホルダ１４３ａ（すなわち、ストッパ１４３ｄ／第１及び第２アーム１４３ｅ、１４３ｆ）とモジュール１４２との間に挿入されることができ、水分又は他の外部物質がモジュール１４２に到逹することを効果的に遮断することができる。すなわち、前述した第１及び第２シーリング部１４３ｂ、１４３ｇと一緒に、上記シーリング部材又はシーリング物質１４３ｍはホルダ１４３ａとモジュール１４２との間に挿入され、外部物質が上記モジュール１４２に到逹することを防止する光源部１４０の第３シーリング部として作用することができる。このような更なるシーリング部材又は物質１４３ｍはストッパ１４３ｄの貫通孔１４３ｋもシーリングすることができる。したがって、ヘッド１４３ｉ内のシーリング物質１４３ｇ（図３０ａ参照）が貫通孔１４３ｋを通じてハウジング１４１の内部に進入することも防止することができる。
【０１５１】
このような光源部１４０は、図２７に示したように、前方に光を照射するように構成されることができる。図２５を参照すると、ハウジング１４１は前方部１４１ａ及び後方部１４１ａを含むことができ、上記前方部１４１ａが使用者に向かって配向されることができる。したがって、図２７に示したように、発光素子１４２ｂは前方に光を照射するように前方に、つまり前方部１４１ａに向かって配向されることができる。また、前方部１４１ａのみが透明になって、照射された光を通過させることができる。このような光の照射は貯蔵室２を効果的に照明することができるが、使用者の眩しさを引き起こすことができる。このような理由で、光源部１４０は、図２８に示したように、下方に光を照射するように構成されることができる。よって、図２９にも示したように、発光素子１４２ｂは下方に光を照射するようにハウジング１４１の底部に向かって配向されることができる。また、照射された光を通過させるように構成されたウィンドウ１４１ｃがハウジング１４１の底部に形成されることができる。このような配向によって使用者に直接光が照射されず、眩しさを防止することができる。
【０１５２】
より詳細には、図４０ａに示したように、光源部１４０は直下方に向かって光を照射するように構成されることができる。このような直下方への光の照射のために、光源部１４０は水平面に実質的に平行に配向されることができる。光を放出するウィンドウ１４１ｃが光源部１４０、正確にはハウジング１４１の底部に配置されるので、直下方に光を照射するために、光源部（すなわち、ハウジング１４１）の底部又はウィンドウ１４１ｃが上記水平面に実質的に平行に配向されることができる。一方、図４０ｂに示したように、光源部１４０は下方だけでなく貯蔵室２の後方部にも光を照射するように構成されることができる。このために、光源部１４０は貯蔵室２の後方部に向かって配向されることができ、上記水平面に対して所定の傾斜角を有するように配向されることができる。より正確には、貯蔵室２の後方部にも光を照射するために、ハウジング１４１の底部又はウィンドウ１４１ｃが貯蔵室２の後方部に向かって配向されることができ、上記水平面に対して所定の傾斜角を有するように配向されることができる。
【０１５３】
一方、前述したように、光源部１４０は、モジュール１４２、正確には発光素子１４２ｂを保護するハウジング１４１を含むが、光源部１４０はこのようなハウジング１４１なしにモジュール１４２を含むことができる。すなわち、光源部１４０は、外部に露出されたモジュール１４２、つまり発光素子１４２ｂを含むことができる。例えば、図２７に示したように、露出された発光素子１４２ｂが光源部１４０として棚１００に配置されることができ、前方に光を照射するように配向されることができる。一方、図２８に示したように、露出された発光素子１４２ｂは光源部１４０として棚１００に配置されることができ、下方に光を照射するように配向されることができる。このような露出された発光素子１４２ｂを有する光源部１４０にもこの明細書で説明する多様な光源部１４０の構成が同様に適用されることができる。
【０１５４】
ウィンドウ１４１ｃが光源部１４０（すなわち、ハウジング１４１）の底部全体に形成されれば、光の放出面積の増加によって貯蔵室２の内部をより明るく照明することができる。しかし、このようなウィンドウ１４１ｃから放出された光の一部が前方に照射されて使用者に眩しさを引き起こす可能性がある。よって、図２９及び光源部１４０の断面を示す図４１ａ〜図４１ｅに示したように、ウィンドウ１４１ｃはハウジング１４１の底部全体ではなくて一部にのみ形成されることができる。より詳細には、図４１ａに示したように、ウィンドウ１４１ｃの前端（front  end）から後端（rear end）の間の長さ（Ａ１）は光源部１４０（正確には、ハウジング１４１）の前端から後端までの距離（Ａ２）の１／２に設定することができる。このようなウィンドウ１４１ｃの長さ（Ａ２）の設定によって、眩しさを防止しながらも十分な照明を提供することができる。また、このようなウィンドウ１４１ｃがハウジング１４１の底部の前方部に配置されれば、前述したように、使用者の眩しさを引き起こすことができる。よって、図４１ａ〜図４１ｅに示したように、ウィンドウ１４１ｃはハウジング１４１の底部の後方部に配置されることができる。図４１ａのウィンドウ１４１ｃ、つまりハウジング１４１の後方部に配置されたウィンドウ１４１ｃは眩しさを引き起こさないので、図４０ａに示したように、直下方に照射する光源部１４０に適用されることができる。一方、図４０ｂの光源部１４０において、ウィンドウ１４１ｃが貯蔵室２の後方部に向かって配向されるので、このようなウィンドウ１４１ｃから照射された光は眩しさを引き起こす可能性が少ない。よって、図４０ｂの光源部１４０はハウジング１４１の底部全体に形成されるウィンドウ１４１ｃを有することができる。また、発光素子１４２ｂは所定の間隔で離隔しているので、発光素子１４２ｂに近接したウィンドウ１４１ｃの一部はウィンドウ１４１ｃの他の部位に比べて相対的に明るくなることができる。すなわち、点光源として使用者に認識されることができる。このような現象は冷蔵庫の外観に影響を及ぼすことができる。このような理由で、ウィンドウ１４１ｃは入射する光を均一に分散させることができる拡散板（ディヒューザ）（diffuser）でなることができる。上記拡散板の使用によって点光源効果を除去することができる。
【０１５５】
また、図４１ｂに示したように、ウィンドウ１４１ｃは曲面状（curved）に形成されることができる。すなわち、ウィンドウ１４１ｃは実質的な曲率半径（Ｒ）を有するように形成されることができる。より詳細には、ウィンドウ１４１ｃは部分的に曲面状になることができ、これによって少なくとも一つの曲面部分（curved portion）を含むことができる。また、ウィンドウ１４１ｃは全体的に曲面状に形成されることができる。このような曲面状ウィンドウ１４１ｃによって光がより広い範囲に拡散することができ、貯蔵室２をより均一に照明することができる。光源部１４０が、前述したように、棚１００の下側に位置する領域を照明するように構成されるので、モジュール１４２及び発光素子１４２ｂも、図４１ａ及び図４１ｂに示したように、下方に光を照射するように配向されることができる。すなわち、少なくとも発光素子１４２ｂはハウジング１４１の下方に向かって配向され、これによってハウジング１４１の下部内面と向き合うことができる。しかし、一方（alternatively）、図４１ｃに示したように、モジュール１４２及び発光素子１４２ｂは下方に代わって上方に光を照射するように配向されることができる。すなわち、発光素子１４２ｂはハウジング１４１の上部に向かって配向されることができ、ハウジング１４１の上部内面と向き合うことができる。このような配向によって、発光素子１４２ｂはウィンドウ１４１ｃと向い合わないので、前述したような点光源現象を根本的に防止することができる。また、発光素子１４２ｂから放出された光は不透明なハウジング１４１の内面によって反射されながら拡散される（diffused）ことができ、よって、一次的にハウジング１４１の内部で均一な状態、つまり均一な光束（flux）を有することができる。したがって、このような均一な光がウィンドウ１４１ｃを通じて外部に放出されることにより、より均一な照明を行うことができる。また、図４１ｄに示したように、上方に配向されたモジュール１４２及び発光素子１４２ｂは光源部１４０の後方部に配置されることができる。すなわち、発光素子１４２ｂはハウジング１４１の内部空間の後方部に配置されることができる。例えば、発光素子１４２ｂの垂直方向中心軸は光源部１４０（すなわち、ハウジング１４１）の垂直方向中心軸（Ｃ）から所定距離（Ｂ）で後方に離隔することができる。このような離隔距離（Ｂ）は、例えば約１ｍｍであってもよい。このような発光素子１４２ｂは同様に後方部に配置されたウィンドウ１４１ｃと整列されることができる。よって、発光素子１４２ｂから放出された光はハウジング１４１の内面で反射され、直ちにウィンドウ１４１ｃに到逹されることができる。一方、図４１ｅに示したように、モジュール１４２及び発光素子１４２ｂは光源部１４０、正確にはハウジング１４１の上部だけでなく前方部に向かって光を照射するように配向されることができる。すなわち、発光素子１４２ｂはハウジング１４１の上部内面及び前方内面と向き合うことができる。このような配向のために、発光素子１４２ｂは水平面に対して所定の角度（θ）で傾くことができる。例えば、上記角度（θ）は１０°〜１５°であってもよい。このように配向された発光素子１４２ｂは複数の���ウジング１４１の内面と向き合うので、発光素子１４２ｂから放出された光はより大きく反射されて拡散することができる。例えば、図４１ａ及び図４１ｂに示した下方に配向された発光素子１４２ｂからの光の４０％がハウジング１４１の内面で反射される反面、図４１ｅの発光素子１４１ｂからの光の７０％が上記内面で反射されることができる。よって、このような図４１ｅの発光素子１４１ｂは点光源現象を防止しながらも著しく均一な照明を提供することができる。
【０１５６】
前述したように、棚部材１１０のプレート１１０ａ、つまり棚部材１００の胴体は透明部材でなることができるので、光源部１４０から放出されるか冷蔵庫の他の部分で反射された光を通過させることができる。したがって、このようなプレート１１０ａを通じての光の漏出によって、意図した空間を適切に照明することができない可能性がある。このような理由で、棚１００は、棚部材１１０、正確にはプレート１１０ａに形成されて光の漏出を防止するために、光を反射するように構成されるレイヤ（layer）１１４を含むことができる。図４２はレイヤを含む棚部材を示す平面図である。また、図４２は説明上の便宜のために棚部材１１０の下に配置された光源部１４０も一緒に示す。
【０１５７】
レイヤ１１４はプレート１１０ａに入射する光が通過することができないように不透明に形成されることができる。また、このような不透明なレイヤ１１４はプレート１１０ａに入射する光を反射することもできる。このようなレイヤ１１４はプレート１１０ａの上面又は下面上に配置されることができる。また、レイヤ１１４は多様な方式で形成されることができる。例えば、レイヤ１１４は、プレート１１０ａの上面又は下面上に印刷される不透明な塗料又はプレート１１０ａの上面又は下面上に付着された不透明なフィルムでなることもできる。一般に、プレート１１０ａの中央部には物品が載せられているので、光の漏出をこのような中央部では抑制することができる。したがって、レイヤ１１４は、図４２に示したように、プレート１１０ａの縁部に形成されることができる。より詳細には、レイヤ１１４は、プレート１１０ａの前方部及び後方部にそれぞれ配置される前方及び後方レイヤ１１４ａ、１１４ｄ、及びプレート１１０ａの左右側にそれぞれ配置される左側及び右側レイヤ１１４ｂ、１１４ｃを含むことができる。これらのレイヤ１１４ａ、１１４ｂ、１１４ｃ、１１４ｄは、外部に露出されて光を通過させ得るプレート１１０ａの前後左右の端縁から内方に伸びることができる。したがって、プレート１１０ａの縁部での光の露出を確かに防止することができる。特に、プレート１１０ａの前方部には光源部１４０が配置されるので、光の漏出が上記プレート１１０ａの前方部でひどく発生し得る。よって、前方レイヤ１１４ａは、図４２に示したように、プレート１１０ａの前端からプレート１１０ａの下側に配置された光源部１４０を覆うように伸びることができる。このような前方レイヤ１１４ａによって光源部１４０が使用者に見えないので、光の漏出を防止しながらも棚１００の外観を向上させることができる。同様に、左右側レイヤ１１４ｂ、１１４ｃも左右側レール１１３ａ、１１３ｂ及びブラケット１２１ａ、１２１ｂを使用者に見えないように遮ることができる。
【０１５８】
光源部１４０は、前述したように、棚１００の前方部に配置され、下方に光を照射するように配向されることができる。このように意図した下方照明のために、光源部１４０は棚の上部をなす棚部材１００より下側に配置されることが有利である。また、ブラケット１２１ａ、１２１ｂが棚部材１００の下側に配置され、十分な強度を有するので、棚部材１００の下側に配置される光源部１４０を支持するのに用いられることができる。したがって、光源部１４０は、例えば図１６ａに示したように、棚部材１１０の下側に配置され、棚１００の前方部に配置されるように、ブラケット１２１ａ、１２１ｂの前方部の間に取り付けられることができる。一方、前述したように、前方バー１２２ａも光源部１４０と同様にブラケット１２１ａ、１２１ｂの前方部に配置されるので、光源部１４０と前方バー１２２ａとの多様な相対的配置を考慮することができる。これに関連し、図４３ａ〜図４３ｃは光源部及びブラケットのバー（bar）の多様な配置例を示す側面図である。まず、図４３ａに示したように、光源部１４０が前方バー１２２ａの前方に配置されることができる。前方バー１２２ａも棚１００の前方部の強度を補強するためのものなので、光源部１４０と一緒にブラケット１２１ａ、１２１ｂの前方部に配置されるように、光源部１４０に近接して上記光源部１４０の後方に配置されることができる。一方（alternatively）、図４３ｂに示したように、光源部１４０が前方バー１２２ａの後側に配置されることができる。先に図４３ａで説明したものと類似した理由で、光源部１４０は貯蔵室２の前方部を照明するためのものなので、前方バー１２２ａと一緒にブラケット１２１ａ、１２１ｂの前方部に配置されるように、前方バー１２２ａに近接して上記前方バー１２２ａの後方に配置されることができる。また、図４３ｃに示したように、光源部１４０のみがブラケット１２１ａ、１２１ｂの前方部に配置されることができる。その代わりに、前方バー１２２ａはブラケット１２１ａ、１２１ｂの前方部に提供されなくてもよい。
【０１５９】
このような多様な構成において、まず図４３ｃの例において、光源部１４０は前方バー１２２ａの代わりをするほどの十分な強度を有するように構成されることができる。例えば、光源部１４０のハウジング１４１は金属素材で作られ、十分な厚さ及び大きさを有することができ、よって光源部１４０が棚１００の前方部に十分な強度を提供することができる。したがって、図４３ｃの棚１００は適切な強度を有しながらも単純な構造を有することができる。一方、図４３ａの例において、光源部１４０は前方バー１２２ａの前方に配置されるので、光源部１４０から放出される光が前方バー１２２ａによって遮られるか反射されないこともあり得る。したがって、前方バー１２２ａとの干渉なしに、図４３ａの光源部１４０は意図した貯蔵室２の前方部をうまく照明することができる。また、光源部１４０自体もある程度の強度を棚１００の前方部に提供することができるので、前方バー１２２ａの追加によって棚１００の強度をさらに補強することができる。結果的に、図４３ａの棚１００は高強度を有しながらも意図した貯蔵室２の前方部を適切に照明することができ、本願の他の全ての図面もこのような図４３ａに示した光源部１４０及び前方バー１２２ａの配置を含んでいる。
【０１６０】
このような図４３ａの配置例に関連し、光源部１４０及び前方バー１２２ａは、使用者の便宜のために、より詳細に構成（configured）されることができる。図４４は光源部及びバーの配置に関連した詳細な構成を示す側面図である。前述したように、棚部材１１０は前後方に移動可能に構成されることができる。棚部材１１０の前後方移動のために、使用者は棚部材１１０を引っ張るか押すことができる。このような操作を円滑に行うために、棚部材１１０に取っ手が必要とされることがあり得る。例えば、棚部材１１０の前方部、つまり前方カバー１１１が使用者に近く位置するので、このような前方カバー１１１が取っ手として用いられることができる。より詳細には、図１６ｃにも示すように、棚１００は棚部材１１０、正確には前方カバー１１１の下部に提供される取っ手１１１ａを含むことができる。取っ手１１１ａは、使用者が滑りなしに棚部材１１０を把持することができるように、多様な構造を有することができる。例えば、取っ手１１１ａは、図１６ｃに示したように、斜めに配置された複数のステップ部（step）でなることができる。また、使用者の手が取っ手１１１ａを握るためには、棚１００の前方部に配置された光源部１４０と取っ手１１１ａとの間に空間が必要である。よって、光源部１４０は前方カバー１１０から所定間隔で離隔するように配置されることができる。より詳細には、光源部１４０の前端部は前方カバー１１０、正確には取っ手１１１ａの後端部から所定距離（Ｃ１）で離隔することができる。例えば、上記離隔距離（Ｃ１）は３ｍｍ〜１５ｍｍであってもよい。このような離隔距離（Ｃ１）によって光源部１４０と取っ手１１１ａとの間には使用者の把持のための十分な空間が提供されることができる。また、光源部１４０は棚１００の前方部に配置されるので、使用者が棚部材１１０を移動させるために、取っ手１１１ａの代わりに光源部１４０を引っ張ることができる。このような場合、光源部１４０はブラケット１２１ａ、１２１ｂに固定されているので、使用者の引っ張りによって破損されることがあり得る。よって、先に既に図４３ａを参照して説明したように、前方バー１２２ｂが光源部１４０の後方部に近接して配置されることができる。このような配置によって、前方バー１２２ｂと光源部１４０との間には使用者の手が入ることができる空間が形成されないので、光源部１４０が取っ手１１１ａの代わりに使用者によって操作されることを防止することができる。その上、前方バー１２２ｂは光源部１４０より低く配置されることができる。前方バー１２２ｂが相対的に低く配置されるので、使用者が棚部材１１０の操作のために取っ手１１１ａの代わりに他の部材を誤って握る場合にも、使用者は前方バー１２２ｂを光源部１４０の代わりに握ることができる。より詳細には、前方バー１２２ａの下端部は光源部１４０の下端部より所定距離（Ｃ２）だけ低く配置されることができる。例えば、このような距離（Ｃ２）は１ｍｍ〜７ｍｍであってもよい。このような距離（Ｃ２）による配置によって、前方バー１２２ａは使用者によって光源部１４０の代わりに握られることができ、これによって光源部１４０の破損を防止することができる。
【０１６１】
前述した棚１００の構造に続いて、冷蔵庫に適用された送信部２００及び受信部３００の実際的な構造を以下で関連図面に基づいて説明する。図２１は本出願による冷蔵庫及び棚を示す部分斜視図、図２２は棚のブラケット及び受信部を示す部分平面図、図２３は貯蔵室側壁の送信部と棚の受信部との整列を説明する側面図である。特に、送信部２００に関連しては、図３１〜図３５を以下で参照する。より詳細には、図３１は送信部の側部を示す側面図、図３２は送信部の背面を示す背面図である。図３３は送信部の取付けのための構造を含むインナケースの部分斜視図である。最後に、図３４ａ及び図３４ｂは冷蔵庫に取り付けられた送信部及び受信部の多様な例を示す断面図、図３５は冷蔵庫に取り付けられた送信部を示す部分斜視図である。また、図１６〜図２０は棚１００の全体構造を詳細に示すので、以降の説明で一緒に参照する。
【０１６２】
送信部２００は、前述したように、棚１００に取り付けられた受信部３００と向き合うように側壁１５上に配置されることができる。図１９、図２１、図２３、図３１及び図３２にそれぞれ示したように、送信部２００は回路基板２１０でなることができる。また、送信部２００は基板２１０上に形成されるコイル２１１を含むことができる。上記コイル２１１は送信部２００、正確には基板２１０の受信部３００と向き合う表面上に提供されることができる。より詳細には、コイル２１１は送信部２００、正確には基板２１０の表面のうち受信部３００に最も近い表面上に形成されることができる。このようなコイル２１１は電力伝送のための電磁波を発生させるもので、図２を参照して説明した１次コイルに相当することができる。
【０１６３】
上記送信部２００で発生する電磁波は受信部３００に向かって送られる（移送される）（transmitted）が、一部の電磁波は反対方向に漏洩されることができる。よって、送信部２００は、このような電磁波の漏洩を防止するための遮蔽部材２１２を含むことができる。図３４ｂにもよく示すように、遮蔽部材２１２は受信部３００と向き合う送信部２００の表面と対向するように位置する送信部２００の表面に提供されることができる。すなわち、送信部２００は受信部３００と向き合う第１表面、及び上記第１表面と対向する第２表面を含むことができ、遮蔽部材２１２はこのような第２表面上に付着されることができる。より詳細には、遮蔽部材２１２はコイル２１１が形成される表面の反対の表面上に直接付着されることができ、あるいはこのような反対表面に近接して配置されることができる。また、遮蔽部材２１２の代わりに遮蔽コーティングも同じ目的で適用することができる。遮蔽部材２１２は、電磁波が漏洩されることを防止するとともに、漏洩される電磁波、つまり受信部３００の方ではなくて他方に配向された電磁波を再び受信部３００に向かって実際的に迂回させるか再配向させることができる。したがって、送信部２００の大部分の電磁波が受信部３００に伝送されることができる。また、遮蔽部材２１２はコイル２１１のインダクタンスを増加させる役目もすることができる。このような遮蔽部材２１２によってより多量の電力が受信部３００に効果的に伝送されることができる。また、送信部２００は基板２１０に接続された端子２１３を含むことができる。このような端子２１３は、受信部３００に電力を供給するために、外部電源と直接接続されることができる。また、上記貯蔵室２には、湿度が高くて水を含む食品がたくさん保管されるから、水が飛び出るか又は凝結する水滴が上記送信部２００上で形成される（に結ぶ）（formed on）可能性がある。したがって、送信部２００には防水コーティング２１４を適用することができる。すなわち、送信部２００は、その内部に水分及びその他の異物が進入することを防止するように構成されるシーリング部材として上記防水コーティング２１４を含むことができる。図３１に示したように、防水コーティング２１４は基板２１０上に適用されることができ、水分又はその他の異物が基板２１０に到逹することを防止することによって漏電又は感電を効果的に防止することができる。
【０１６４】
受信部３００は、前述したように、側壁１５上に配置された送信部２００と向き合うように棚１００の左側部又は右側部、つまり左側ブラケット１２１ａ又は右側ブラケット１２１ｂに配置されることができる。図１８に示したように、棚１００を堅固に支持するために、ブラケット１２１ａ、１２１ｂの後方部はブラケット１２１ａ、１２１ｂの前方部より大きな大きさを有する。したがって、受信部３００は相対的に広く、これによって適切な強度も有するブラケット１２１ａ、１２１ｂの後方部に配置されることができる。すなわち、受信部３００はブラケット１２１ａ、１２１ｂの後端部から距離（Ｌ１）（の地点）までの（within a distance L1）後方部領域内に配置されることができる。このような距離（Ｌ１）は、例えばブラケット１２１ａ、１２１ｂの全長Ｌの１／４に設定することができる。したがって、受信部３００はブラケット１２１ａ、１２１ｂの後端部から前方部の方に全長Ｌの１／４（地点）までの領域内に配置されることができる。
【０１６５】
図１８〜図２３にそれぞれ示したように、受信部３００も回路基板３１０を含むことができる。また、受信部３００は基板３１０上に形成されるコイル３１１を含むことができる。上記コイル３１１は、受信部３００、正確には基板３１０の送信部２００と向き合う表面上に提供されることができる。より詳細には、コイル３１１は、受信部３００、正確には基板３１０の表面のうち送信部２００に最も近い表面上に形成されることができる。このようなコイル３１１は図２を参照して説明した２次コイルに相当することができる。前述したように、送信部２００のコイル２１１は受信部３００と向き合う送信部２００のいずれか一表面上に提供され、受信部３００のコイル３１１も送信部２００と向き合う受信部３００のいずれか一表面上に提供されるので、上記コイル２１１、３１１は互いに向き合うようになり、効果的に電力を伝送することができる。
【０１６６】
送信部２００で発生する電磁波は上記受信部３００に大部分が伝達されることができるが、一部の電磁波は受信部３００を通過して貯蔵室２内の貯蔵容器に伝達されることもあり得る。上記容器が金属素材などの電磁誘導を引き起こすことができる素材の容器であれば、上記容器が加熱されるに伴って容器に保管された食品の温度が上昇することができる。このような場合、上記容器内の食品はむしろ高温に加熱され、容易に（易しく）腐敗されるか変質されることがある。これを防止するために、受信部３００は遮蔽部材３１２を含むことができる。したがって、送信部２００から伝達される電磁波が食品容器を加熱することを防止することができる。図３４ｂにもよく示すように、遮蔽部材３１２は送信部２００と向き合う受信部３００の表面と対向するように位置する受信部３００の表面に提供されることができる。すなわち、受信部３００は、送信部２００と向き合う第１表面、及び上記第１表面と対向する第２表面を含むことができ、遮蔽部材３１２はこのような第２表面上に付着されることができる。より詳細には、遮蔽部材３１２はコイル３１１が形成される表面の反対の表面上に直接付着されることができ、あるいはこのような反対表面に近接して配置されることができる。また、遮蔽部材３１２の代わりに遮蔽コーティングも同じ目的で適用することができる。例えば、遮蔽部材３１２は基板３１０においてコイル３１１が形成される表面の反対側の表面上に付着されることができ、これに近接したブラケット１２０上に付着されることもできる。このような遮蔽部材３１２は、容器の誘導加熱を防止するだけでなく電磁波の漏洩を防止することによって電力受信効率を向上させることもできる。その上、遮蔽部材３１２はコイル３１１のインダクタンスを増加させることができ、これによって電力受信効率をより向上させることができる。また、図１９、図２０及び図２２によく示したように、受信部３００は光源部１４０の配線１４２ｃ、１４２ｄと接続されることができる。より詳細には、受信部３００の基板３１０が上記配線１４２ｃ、１４２ｄと接続され、よって受信した電力が配線１４２ｃ、１４２ｄを介してモジュール１４２に供給されることができる。また、送信部２００と同様に、受信部３００にも防水コーティングを適用することができ、漏電又は感電を効果的に防止することができる。すなわち、受信部３００も、その内部に水分及びその他の異物が進入することを防止するように構成されるシーリング部材として上記防水コーティングを含むことができる。このような防水コーティングは基板３１０上に適用されることができ、水分又はその他の異物が基板３１０に到逹することを防止することによって漏電又は感電を効果的に防止することができる。
【０１６７】
送信部２００において、コイル２１１は、図２１〜図２３に示したように、上記側壁１５に垂直な中心軸に対して半径が次第に増加する円形を成すように巻き付けられることができる。すなわち、コイル２１１は螺旋（渦巻き）形に（spirally）巻き付けられることができる。したがって、上記コイル２１１は同じ平面内に配置されることができる。また、受信部３００でも同様にコイル３１１は螺旋形に巻き付けられ、同じ平面内に配置されることができる。したがって、このようなコイル２１１、３１１の構成によって、送信部２００及び受信部３００の厚さは大きく増加しなく、よって冷蔵庫内で大きな空間を占めない。また、図２１〜図２３でコイル２１１、３１１は円形を有するが、図１９に示したように、楕円形を有することもできる。
【０１６８】
このような楕円形コイル２１１、３１１は、効率的な電力伝送のために、より詳細な構成を含むことができる。図５２は送信部の基板及びコイルの詳細な構成を示す平面図、図５３は受信部の基板及びコイルの詳細な構成を示す平面図である。これらの図面及び関連の他の図面に基づき、コイル２１１、３１１とこれに関連した送受信部２００、３００の他の部品を以下でより詳細に説明する。
【０１６９】
楕円形コイル２１１、３１１は部分的に縮小した外径（例えば、最小外径（Ｄ２、Ｄ４））を有する。したがって、楕円形コイル２１１、３１１は、その配向によって、同じ直径（例えば、最大外径（Ｄ１、Ｄ３））を有する円形コイルより小さい水平又は垂直方向への幅を有することができる。すなわち、円形コイルに比べ、楕円形コイル２１１、３１１はコンパクトな外形（プロファイル）（profile）を有することができる。このような理由で、楕円形コイル２１１、３１１は効果的な電力伝送を行いながらも冷蔵庫内の限定された空間内に配置されるのに適することができる。また、受信部３００の位置変化が発生する場合にも上記受信部３００と継続的に向い合って安定的に電力を伝送するために、送信部２００は受信部３００より大きく形成されることができる。すなわち、送信部２００のコイル２１１は受信部３００のコイル３１１より大きく形成されることができる。しかし、冷蔵庫において、棚１００は持続的に同じ位置に固定されるので、送受信部２００、３００の位置も所定の位置に特定され、持続的に維持されることができる。したがって、送信部２００は受信部３００より大きく形成される必要がない。このような理由で、送信部２００は受信部３００と実質的に同じ大きさを有することができる。すなわち、送信部２００のコイル２１１と受信部３００のコイル３１１とは同じ大きさの外形（outer profile）を有することができる。より詳細には、図１９にも示したように、コイル２１１の外径（Ｄ１、Ｄ２）はコイル３１１の外径（Ｄ３、Ｄ４）と同一に形成されることができる。すなわち、コイル２１１の最大外径（Ｄ１）はコイル３１１の最大外径（Ｄ３）と同一であり、コイル２１１の最小外径（Ｄ２）はコイル３１１の最小外径（Ｄ４）と同一に設定されることができる。
【０１７０】
このような構成によって、コイル２１１、３１１は次のような実際的な仕様（specification）を有することができる。まず、送信部２００のコイル２１１において、最大外径（Ｄ１）は４４ｍｍ、最小外径（Ｄ２）は３３ｍｍであってもよい。また、最大内径（ｄ１）は３０ｍｍ、最小内径（ｄ２）は１９ｍｍであってもよい。コイル２１１のパターン（pattern）幅（Ｗ１）は１．０ｍｍであってもよく、パターン間の間隔は０．２ｍｍに設定されることができる。コイル２１１の厚さは７０μｍであってもよい。また、コイル２１１は実際的に積層された２層のレイヤでなることができ、各レイヤにおいてパターンの巻回数（すなわち、ターン数）は５．５ターン（turn）であってもよい。よって、全体的にパターンの巻回数は１１ターンであってもよい。
【０１７１】
受信部３００のコイル３１１において、最大外径（Ｄ３）は４４ｍｍ、最小外径（Ｄ４）は３３ｍｍであってもよい。よって、前述したように、コイル２１１の外径（Ｄ１、Ｄ２）はコイル３１１の外径（Ｄ３、Ｄ４）と同一に形成される。また、最大内径（ｄ３）は２３ｍｍ、最小内径（ｄ４）は１２ｍｍであってもよい。コイル３１１のパターン幅（Ｗ２）は０．６ｍｍであってもよく、パターン間の間隔は０．２ｍｍに設定されることができる。コイル３１１の厚さは７０μｍであってもよい。また、コイル２１１と同様に、コイル３１１も実際的に積層された２層のレイヤでなることができ、各レイヤにおいてパターンの巻回数（すなわち、ターン数）は１３．５ターン（turn）であってもよい。よって、全体でパターンの巻回数は２７ターンであってもよい。また、コイル３１１のインダクタンスは３６．１±０．５μＨであってもよく、ＤＣ抵抗は２．８±０．２Ωであってもよい。これらのインダクタンス及びＤＣ抵抗は遮蔽部材３１２が取付けられたときの値である。
【０１７２】
遮蔽部材２１２、３１２は、このようなコイル２１１、３１１から漏洩される電磁波及び磁束を遮断するために、上記コイル２１１、３１１の外形より大きな外形を有するように構成されることができる。遮蔽部材２１２、３１２も、他の図面、例えば、図１７及び図１９に示したように、最大及び最小直径を有する楕円形を有することができる。したがって、遮蔽部材２１２、３１２の最大直径はコイル２１１、３１１の最大直径（Ｄ１、Ｄ３）より大きく設定されることができる。また、遮蔽部材２１２、３１２の最小直径もコイル２１１、３１１の（外）最小直径（Ｄ２、Ｄ４）より大きく設定されることができる。例えば、遮蔽部材２１２、３１２の最大直径は４６ｍｍ、最小直径は３５ｍｍに設定されることができる。このような遮蔽部材２１２、３１２は、接着剤、例えば両面テープによって基板２１０、３１０に付着されることができる。また、効果的な遮蔽のために、遮蔽部材２１２、３１２は強磁性体でなることができる。例えば、遮蔽部材２１２、３１２はμ（透磁率（permeability））＞３０００の強磁性体で製造されることができる。より詳細には、遮蔽部材２１２、３１２は強磁性体のうちフェライト（ferrite）、アモルファス物質などで作られることができる。フェライトを使う場合、Ｍｎ−Ｚｎ系又はＮｉ−Ｚｎ系フェライトを使うことができる。Ｍｎ−Ｚｎ系フェライトは低損失に適し、Ｎｉ−Ｚｎ系フェライトは高周波に適する。
【０１７３】
図２１及び図２３に示したように、送信部２００は側壁１５内に内蔵されることができる。したがって、このような送信部２００は側壁１５内に安定的に取り付けられることができるが、維持管理のために側壁１５から分離しにくいこともあり得る。このような理由で、送信部２００は側壁１５から容易に脱着可能なモジュールで作られることができる。このようなモジュール化した送信部２００を図３１〜図３２に示し、これらの図面に基づいて以下で詳細に説明する。
【０１７４】
まず、送信部２００は、前述したように、コイル２１１、遮蔽部材２１２及び端子２１３が取り付けられた基板２１０を含むことができる。また、送信部２００はこのような基板２１０を覆うカバー２２０を含むことができる。また、カバー２２０は上記基板２１０及びこれに取り付けられた他の部品を収容するように構成されることができる。より詳細には、カバー２２０は、図３４ａ及び図３４ｂによく示したように、胴体２２０ａを有することができ、胴体２２０ａは、平らな基板２１０を適切に支持するために、所定大きさのプレートでなることができる。カバー２２０は上記胴体２２０ａから突出し、その縁部に沿って伸びる壁体（wall）２２１を有することができる。このような壁体２２１及び胴体２２０ａによってカバー２２０は実質的に所定大きさのコンテナを形成することができる。したがって、形成された内部空間内に基板２１０及び他の部品を収容することができる。また、基板２１０は壁体２２１及び胴体２２０ａによって安定的に支持されることができる。壁体２２１は、基板２１０を固定させるためのリブ２１１ａをさらに含むこともできる。カバー２２０は胴体２２０ａからさらに伸びるフランジ２２２を含むことができる。また、カバー２２０は壁体２２１からフランジ２２２と同一の方向に伸びるリブ２２３を含むことができる。このようなカバー２２０と基板２１０との結合によって送信部２００がモジュール化されることができる。
【０１７５】
図３３を参照すると、モジュール化した送信部２００を収容するために、インナケース１０にはホール又はリセス２００ａが形成されることができる。図３４ａに示したように、インナケース１０とアウタケース１０ａとの間は断熱材Ｓで満たされる。断熱材Ｓでケース１０、１０ａの間が満たされるとき、静電気が発生し得る。断熱材Ｓで満たされる前に送信部２００が取り付けられれば、静電気によって送信部２００の回路が破損されることがあり得る。このような理由で、断熱材Ｓでケース１０、１０ａの間が満たされた後、送信部２００が取り付けられる。また、前もって満たされた断熱材Ｓが貯蔵室２内に進入することができないように送信部２００を設置するための座部（seat）は底部が閉鎖されたリセス２００ａによって形成される。また、インナケース１０の強度を補強するために、インナケース１０の内面には補強板１５ａが取り付けられることができる。補強板１５ａにも送信部２００の設置のための貫通孔２００ｂが形成され、上記リセス２００ａと連通することができる。よって、図３４ａに示したように、送信部モジュール２００をリセス２００ａ内に挿入すれば、フランジ２２２は補強板１５ａの外面にかかり、リブ２２３は補強板１５ａの内面にかかることができる。同時に、送信部モジュール２００の大部分はリセス２００ａ内に配置され、外観を損なわないように、ただカバー２１０のみが、図３５に示したように、外部に露出される。したがって、このような結合メカニズムによって送信部モジュール２００は側壁１５に安定的に付着されることができ、同じ方式で維持管理のために側壁１５から容易に脱離されることができる。また、フランジ２２２が貫通孔２００ｂより大きく形成されるので、外部の異物がリセス２００ａ内に進入することができない。さらに、壁体２２１の周りにシーリング部材２２４が提供されることができ、よってリセス２００ａは、送信部２００の故障を防止するために、より完全に密閉されることができる。また、断熱材Ｓが満たされる前に、外部電源と接続された配線がリセス２００ａに近接するように前もってケース１０、１０ａの間に配置され、以後に満たされた断熱材Ｓによってケース１０、１０ａの間に固定されることができる。したがって、送信部２００がリセス２００ａに取り付けられるとき、上記リセス２００ａに近接した配線に送信部２００の端子２１３が直ちに接続されることができ、送信部２００と外部電源との間の接続が容易に行われることができる。上記外部電源に接続された配線の末端には、上記端子２１３と直接接続されるように構成された端子が取り付けられることができ、よって送信部２００と外部電源とがより容易に接続されることができる。また、図３４ｂに示したように、補強板１５ａは貫通孔２００ｂの周りに形成されるリセス１５ｂを含むことができる。フランジ２００は上記リセス１５ｂ内に挿入され、補強板１５ａの外部に突出しないこともできる。より詳細には、フランジ２００の外面は冷蔵庫の側壁１５の表面と同一平面上に配置されることができる。よって、送信部２００は冷蔵庫側壁１５と実質的に一体化し、冷蔵庫の外観を向上させることができる。
【０１７６】
前述した送信部２００と類似した理由で、受信部３００もブラケット１２０に容易に着脱可能なモジュールとして作られることができる。このようなモジュール化した受信部３００を図１７〜図２０に示し、これらの図面を参照して以下で詳細に説明する。参考として、図１７〜図１９は左側ブラケット１２１ａに取り付けられる受信部３００を示し、図２０ａ及び図２０ｂは右側ブラケット１２１ｂに取り付けられる受信部３００を示す。
【０１７７】
まず、受信部３００は、前述したように、コイル３１１、遮蔽部材３１２及び配線１４２ｃ、１４２ｄが取り付けられた基板３１０を含むことができる。また、受信部３００は、このような基板３１０を覆うカバー１３０を含むことができる。カバー１３０はやはり締結部材を用いてブラケット１２０に付着されることができ、よってブラケット１２０及びカバー１３０によって受信部３００が取り囲まれることができる。したがって、カバー１３０は受信部３００を外部環境から保護することができる。カバー１３０はブラケット１２０に付着されて棚１００の一部を形成するので、棚１００がこのようなカバー１３０を含むとも説明することができる。カバー１３０はやはり上記基板３１０及びこれに取り付けられた他の部品を収容するように構成されることができる。また、カバー１３０は、送信部２００と受信部３００との間の電力伝送及びこのための共振周波数の生成を邪魔しない素材で形成されることができる。例えば、カバー１３０はプラスチックなどの高分子素材及びその他の非伝導／非金属素材で作られることができる。
【０１７８】
より詳細には、図２０ａ及び図２０ｂによく示したように、カバー１３０は胴体１３０ａを有することができる。上記胴体１３０ａは板状部材でなることができ、上記胴体１３０ａの縁部からこれに対してほぼ垂直にリブ１３０ｂが伸びることができる。よって、カバー１３０は胴体１３０ａ及びリブ１３０ｂによって受信部３００の部品を収容する空間を形成することができる。また、カバー１３０は上記胴体１３０ａから突出する壁体１３１を有することができる。このような壁体１３１及び胴体１３０ａによってカバー１３０には所定大きさの座部（seat）１３１ａが形成されることができる。よって、形成された座部１３１ａ内に基板３１０及び他の部品を収容することができる。また、配線１４２ｃ、１４２ｄは、電源を供給するために、光源部１４０まで伸びなければならない。このような配線１４２ｃ、１４２ｄを完全に保護するために、カバー１３０は、図示のように、ブラケット１２０の側面に沿って長く伸びることができ、図示したように、配線１４２ｃ、１４２ｄもこのようなカバー１３０に沿って配置されることができる。カバー１３０はブラケット１２０の側面の外形と一致する外形を有することができ、よって棚１００の外観を向上させることができる。
【０１７９】
また、カバー１３０は、配線１４２ｃ、１４２ｄを保持するように構成された複数のリブ１３２を含むことができる。（配線は）このようなリブ１３２によってカバー１３０に安定的に付着されることができる。また、カバー１３０は、胴体１３０ａに形成された複数のボス（boss）１３４を含むことができる。このようなボス１３４に対応し、図１８に示したように、ブラケット１２１ａ、１２１ｂは複数の締結孔１２１ｅを含むことができる。その上、カバー１３０は胴体１３０ａに形成される複数の突起１３５を含むことができる。図１８に示したように、ブラケット１２１ａ、１２１ｂにはこのような突起１３５が挿入される複数のホール（hole）１２１ｆが形成されることができる。ブラケット１２１ａ、１２１ｂの後方部は、棚１００を堅固に支持するために、これらの前方部より大きく形成されることができる。すなわち、ブラケット１２１ａ、１２１ｂの前方部は限定された空間を有する。よって、相対的に大きな大きさを有するボス１３４及び締結孔１２１ｅはカバー１３０及びブラケット１２１ａ、１２１ｂの後方部及び中央部に配置される反面、相対的に小さな大きさの突起１３５及びホール１２１ｆはカバー１３０及びブラケット１２１ａ、１２１ｂの前方部に配置されることができる。カバー１３０がブラケット１２１ａ又は１２１ｂに結合されるとき、まず突起１３５がホール１２１ｆに挿入されることにより、カバー１３０が正確な結合位置に配置されることができる。このような突起１３５及びホール１２１ｆの位置決め（positioning）によって、ボス１３４と締結孔１２１ｅとも互いに整列されることができる。締結部材を整列されたボス１３４及び締結孔１２１ｅに締結することにより、カバー１３０はブラケット１２１ａ、１２１ｂのいずれか一つに結合されることができる。
【０１８０】
前述したカバー１３０と基板３１０との結合、つまり基板３１０の座部１３１ａへの挿入によって、送信部３００はカバー１３０とモジュール化することができ、カバー１３０と一緒に容易にブラケット１２０に取付けられるかあるいは分離されることができる。また、配線１４２ｃ、１４２ｄはカバー１３０に沿って配列され、その端部に形成された開口部（aperture）１３３を通じてカバー１３０の外部に引き出され、突起１４３ｃによってモジュール１４２と接続されることができる。したがって、図１８、図２０、及び図３０に示したように、カバー１３０、受信部３００及び光源部１４０は単一のモジュール又はアセンブリを形成することができる。このようなアセンブリにおいて、棚１００全体の観点で（With regard to the entire shelf 100）、受信部３００は、これを収容するカバー１３０の一部と一緒に、図２０ａに示したように、受信部（Ｒ）を形成することができる。また、配線１４２ｃ、１４２ｄは、これを収容するカバー１３０の一部と一緒に、配線部Ｗを形成することができる。光源部１４０は配線部Ｗによって電源を受ける負荷として見なされることができる。このようなアセンブリとして、カバー１３０、送信部３００及び光源部１４０は、棚１００、正確にはブラケット１２０に一度に（at the same time）容易に取り付けられることができ、しかも、維持管理のために容易に分離されることができる。カバー１３０は前述したようなソリッドな（solid）部材以外に他の形態でも具現されることができる。例えば、ブラケット１２１ａ、１２１ｂ上に受信部３００及び配線１４２ｃ、１４２ｄを配置し、前述したような電力伝送を邪魔しない物質をブラケット１２１ａ、１２１ｂ、受信部３００及び配線１４２ｃ、１４２ｄ上に塗布することができる。すなわち、ソリッドなカバー１３０の代わりに塗料又は他のフレキシブルな部材がカバー１３０と同一の機能を行うように用いられることができる。このようなカバーの他の例は、同様に、電力伝送及び共振周波数生成を邪魔しないとともに、ブラケット１２１ａ、１２１ｂに受信部３００及び配線１４２ｃ、１４２ｄを固定させ、受信部３００及び配線１４２ｃ、１４２ｄを外部物質から保護することができる。
【０１８１】
一方、前述したように、棚１００は相異なる高さを有するように上方及び下方に移動することができる。上記棚１００の光源部１４０に電源を供給するためには、送信部２００と受信部３００とが互いに向き合わなければならない。したがって、棚１００の移動後にも互いに向き合うように送信部２００及び受信部３００のいずれか一つが調節される必要がある。しかし、受信部３００は棚１００に固定されて一緒に移動するので、受信部３００の代わりに送信部２００が互いに向き合うように調節される必要がある。よって、送信部２００は、棚１００が上方又は下方に移動した後にも受信部３００とずっと向き合うように構成されることができる。このような送信部２００と受信部３００との間の対面配置（face-to-face arrangement）のために、多様な構造を適用することができる。例えば、図２１及び図２３に示したように、複数の送信部２００が側壁１５に相異なる高さに配置されることができる。より詳細には、棚１００が配置可能な高さと同一の高さに送信部２００がそれぞれ配置されることができる。また、前述したように、互いに隣り合う装着孔１８にかかる第１及び第２係止片１２３ａ、１２３ｂによって、棚１００が後壁１３に固定されることができる。図２３及び図３４に示すように、固定された棚１００のブラケット１２０は装着孔１８の間に配置され、このようなブラケット１２０の側面に配置された受信部３００も同様に装着孔１８の間に配置されることができる。よって、図２３に示したように、複数の送信部２００は互いに隣り合う装着孔１８の間の高さ（Ｈ）で側壁１５に配置されることができる。すなわち、送信部２００は、互いに隣り合う装着孔１８の間に、つまり距離（Ｈ）内に配置されるように、冷蔵庫の側壁１５に取り付けられることができる。このような理由で、図２３（ａ）に示したいずれか一つの高さから図２３（ｂ）に示した他の高さに棚１００が移動する場合にも、受信部３００と送信部２００とが安定的な電力伝送のために向き合うことができる。また、より高い電力伝送効率のために、棚１００の高さが変更された後にも送信部及び受信部２００、３００のコイル２１１、３１１が図示のように互いに向き合うことができる。また、棚１００の高さが変更された後にも上記コイル２１１、３１１の中心軸がより高い電力伝送のために互いに一致するように配置されることもできる。また、係止片１２３ａ、１２３ｂ及び装着孔１８の構造が図２３に示したものとは違うように変更されれば、互いに向き合うように側壁１５及びブラケット１２０にそれぞれ配置された送信部２００及び受信部３００はそれ以上装着孔１８の間に配置されないこともあり得る。例えば、図２３に示したブラケット１２０の後端の上部及び下端にそれぞれ配置される係止片１２３ａ、１２３ｂとは違い、上記係止片１２３ａ、１２３ｂのいずれか一つがブラケット１２０の後端中央部に配置されれば、装着孔１８間の距離（Ｈ）もこのような係止片１２３ａ、１２３ｂの変更によって減少することができる。よって、受信部３００と向き合う送信部２００はそれ以上上記距離（Ｈ）内に配置されることができないことがあり得る。しかし、このような場合にも、受信部３００は依然としてブラケット１２０の側部に配置される。よって、送信部２００の全部又は少なくとも送信部２００の一部がブラケット１２０の側部と向き合うように側壁１５に配置されれば、より詳細には、上記ブラケット１２０の上端部と下端部との間に配置されれば、このような送信部２００は係止片１２３ａ、１２３ｂ及び装着孔１８の構成の変化に関係なく（構わず）（regardless of）、ブラケット１２０の側部に配置された受信部３００と向き合うことができる。
【０１８２】
図２３に示したように、前述したような構成を有する複数の送信部２００を形成するために、単一基板２１０上に複数のコイル２１１が配置されることができる。図２３の送信部２００の代わりに、図３１〜図３５に示したように、複数のモジュール化した送信部２００が提供されることができる。また、前述した複数の送信部２００の代わりに、単一送信部２００が側壁１５上に垂直方向にスライド可能に取り付けられることができる。したがって、このような送信部２００は、変化する棚１００及び受信部３００の高さに合わせて自体の高さを調節することができる。また、図２３に示したように、単一基板２１０上に受信部３００が配置されることができる高さの全体にわたって（かけて）（over）単一のコイル２１１ａが配置されることができる。よって、受信部３００の高さが棚１００と一緒に変化しても、いつも送信部２００は受信部３００と向き合うことができるようになる。一方、受信部３００の位置は装着孔１８によって決定される。したがって、送信部２００の位置が先に決定され、このような既に設定された位置の送信部２００と受信部３００とが、棚１００の高さが変更された後にも、互いに向き合うように、装着孔１８の高さが調節されることもできる。
【０１８３】
電磁誘導方式による電力伝送において、送信部２００と受信部３００とが互いに遠くなれば、電力伝送効率が減少することができる。よって、送信部２００と受信部３００とは互いに接触するように配置されることが好ましい。しかし、図３４を参照すると、断熱材Ｓはインナ及びアウタケース１０、１０ａの間に高圧で充填されるので、これらのケース１０、１０ａに高圧を加えることになる。よって、インナケース１０、つまり側壁１５が突出することができ、設計されたものとは違う寸法を有することができる。送信部２００と受信部３００とが互いに接触するように設計されれば、このような生産工程中の寸法変更によって送信部２００が受信部３００を押圧して破損を引き起こすことができる。また、前述したように、棚１００は垂直及び水平方向に移動する。よって、送信部２００と受信部３００とが互いに接触するように設計されれば、棚１００の着脱時、側壁１５又は棚１００に損傷が加えられることもできる。よって、図３４に示したように、送信部２００と受信部３００とは一定の距離（ｔ）で互いに離隔することができる。すなわち、送信部２００と受信部３００とは互いに直接接触しないように構成される。上記距離（ｔ）は電力伝送効率を大きく低下させないように設定され、およそ９ｍｍ程度に設定されることができる。一方、既存の有線電力伝送方式は棚１００とインナケース１０との直接的な接触を必要とするので、腐食、漏電及び感電などの理由に加え、前述した寸法変更及び損傷などの問題点をさらに内包することになる。よって、このような理由を考慮するとき、無線電力伝送技術に基づく送信部２００及び受信部３００を適用することが冷蔵庫棚１００の光源に電源を供給するのに最適であることがより明確になることができる。
【０１８４】
先に参照した全ての図面に示したように、受信部３００は配線１４２ｃ、１４２ｄを介して光源部１４０と電気的に接続され、送信部２００から伝送された電力を光源部１４０に供給することができる。一方、棚１００はこのような配線１４２ｃ、１４２ｄを介した電気的接続とは違う電気的接続を変形例として含むことができる。これに関連し、図４５は受信部と光源部との電気的接続の変形例を示す斜視図である。棚の構成はもう既に前述したので、以下では構成の異なる点（区別される構成）（differences in configuration）のみを説明する。同じ理由で、説明しなかった構成に対しては、先に他の図面を参照して説明した構成を同様に適用し、これについての詳細な説明はやはり省略する。
【０１８５】
図４５に示した変形例は、配線１４２ｃ、１４２ｄの代わりに、ブラケット１２１ａを受信部３００と光源部１４０との電気的接続のために使うことができる。もう既に説明したように、送信部２００及び受信部３００の構造と上記送信部２００から受信部３００への電力伝送のための構成とは前述したものと同一である。まず、棚１００は、ブラケット１２１ａと受信部３００とを電気的に接続する第１接続部１２４を含むことができる。より詳細には、第１接続部１２４はブラケット１２１ａに提供され、受信部３００と接続される第１及び第２接点１２４ａ、１２４ｂを含むことができる。また、上記第１及び第２接点１２４ａ、１２４ｂは配線１２４ｃ、１２４ｄを介して受信部３００、正確には基板３１０と電気的に接続されることができる。一方、棚１００は、ブラケット１２１ａと光源部１４０とを電気的に接続する第２接続部１２５を含むことができる。より詳細には、第２接続部１２５はブラケット１２１ａに提供され、光源部１４０と接続される第１及び第２接点１２５ａ、１２５ｂを含むことができる。また、上記第１及び第２接点１２５ａ、１２５ｂは配線１２５ｃ、１２５ｄを介して光源部１４０、正確にはモジュール１４２と電気的に接続されることができる。また、上記第１及び第２接続部１２５の間の電気的接続のために、ブラケット１２１ａの胴体が用いられることができる。このような電気的接続のために、ブラケット１２１ａは高伝導性素材、例えば鋼鉄でなることができる。すなわち、図示したように、ブラケット１２１ａの一部区間Ｌが第１及び第２接続部１２４、１２５を電気的に接続することができる。このような構成によって、受信部３００は伝送された電力を第１接続部１２４、ブラケット１２１ａ、及び第２接続部１２５を順次介して光源部１４０に伝達することができる。
【０１８６】
第１接続部１２４の第１及び第２接点１２４ａ、１２４ｂにはシーリング部１２４ｅが提供されることができ、よって水分及び他の外部物質から保護されることができる。同じ理由で、シーリング部１２５ｅが第２接続部１２５の第１及び第２接点１２５ａ、１２５ｂに提供されることができる。このようなシーリング部１２４ｅ、１２５ｅは、シーリング物質を上記第１及び第２接点１２４ａ、１２４ｂ、１２５ａ、１２５ｂに塗布することによって形成されることができる。また、ブラケット１２１ａも、漏電や感電を防止するために、絶縁材で塗布されることができる。また、受信部３００を保護するために、カバー１２６がブラケット１２１ａに付着されることができる。ブラケット１２１ａが電気的接続のために用いられるので、カバー１２６は受信部３００及び第１接続部１２４のみを覆うように形成されることができる。すなわち、前述した配線１４２ｃ、１４２ｄを保護するために長く伸びるカバー１３０とは違い、カバー１２６はよほど縮小した大きさを有することができる。必要であれば、カバー１２６と同一の機能を有する更なるカバーが第２接続部１２５を保護するために適用されることができる。先に左側ブラケット１２１ａに適用された電気的接続構造を説明したが、同様に右側ブラケット１２１ｂにも適用されることができる。このような図４５の電気的接続構造は棚の構造を単純化させながらも効果的に電力を光源部１４０に伝達することができる。
【０１８７】
先に図１４を参照して説明したように、送信部２００は、側壁１５の代わりに、後壁１３に配置されることができる。これにより、受信部３００もこのような送信部２００と向き合うように棚１００の後方部に配置されることができる。図４６は貯蔵室の後壁に取り付けられる送信部を示す正面図、図４７は後方部に取り付けられた受信部を有する棚を示す斜視図である。送信部２００をよく示すために、図４７に示したような受信部３００の装着のための構造は図４６の棚１００から省略する。図４５の例と同様に、棚の構成はもう既に説明したので、以下では構成の異なる点のみを説明する。同じ理由で、説明しなかった構成に対しては先に他の図面に基づいて説明した構成を同様に適用し、これについての詳細な説明はやはり省略する。
【０１８８】
図４６を参照すると、冷蔵庫が左右側棚１００ａ、１００ｂを含むので、このような左右側棚１００ａ、１００ｂに電力を供給するために、一対の送信部２００が左右側後壁１３ａ、１３ｂにそれぞれ取り付けられることができる。より詳細には、送信部２００は後壁の中央部に配置されることができる。すなわち、一方の送信部２００は左側棚１００ａの右側ブラケット１２１ｂに近接して左側後壁１３ａに配置されることができ、他方の送信部２００は右側棚１００ｂの左側ブラケット１２１ａに近接して右側後壁１３ｂに配置されることができる。図４７を参照すると、左右側棚１００ａ、１００ｂの後方部には受信部３００を支持するための一対の更なるブラケット１００ｆが形成されることができる。より詳細には、一方のブラケット１００ｆが左側棚１００ａの右側ブラケット１２１ｂの後方部から左側後壁１３ａに平行に所定長さで伸びることができる。また、他方のブラケット１００ｆが右側棚１００ｂの左側ブラケット１２１ａの後方部から右側後壁１３ｂに平行に所定長さで伸びることができる。このようなブラケット１００ｆに受信部３００がそれぞれ取り付けられることができる。また、伝送された電力を供給するために、配線１４２ｃ、１４２ｄが受信部３００と光源部１４０とを接続することができる。より詳細には、配線１４２ｃ、１４２ｄは受信部３００からブラケット１２１ａ、１２１ｂに沿って光源部１４０まで伸びることができる。受信部３００及び配線１４２ｃ、１４２ｄを保護するために、前述したカバー１３０がブラケット１２１ａ、１２１ｂの全側面だけでなく更なるブラケット１００ｆを覆うように伸びることができる。このような構成によって、送信部２００と受信部とが互いに向き合うことができ、効果的に電力を伝送することができる。図４６に示したものとは違い、一方の送信部２００は左側棚１００ａの左側ブラケット１２１ａに近接して左側後壁１３ａに配置されることができ、他方の送信部２００は右側棚１００ｂの右側ブラケット１２１ｂに近接して右側後壁１３ｂに配置されることができる。このような場合、送信部２００と向き合うように、前述したブラケット１００ｆ及び受信部３００が同じ方式で左側棚１００ａの左側ブラケット１２１ａ（例えば、図１６ａ参照）及び右側棚１００ｂの右側ブラケット１２１ｂにそれぞれ提供されることができる。
【０１８９】
一方、棚１００は冷蔵庫の後壁１３の代わりに側壁１５に支持されることができる。また、このような棚１００の光源部１４０にも、無線で電力を供給するために、送信部２００及び受信部３００が適用されることができる。図４８は貯蔵室の側壁に支持される棚における送信部及び受信部の構成を示す正面図、図４９は図４８の棚を示す背面図である。また、図５０は貯蔵室の側壁に支持される棚において送信部及び受信部の構成の他の例を示す正面図、図５１は図５０の棚を示す側面図である。図４５〜図４７の例と同様に、棚の構成は既に前述したので、以下では構成の異なる点のみを説明する。同じ理由で、説明しなかった構成に対しては先に他の図面に基づいて説明した構成を同様に適用し、これについての詳細な説明はやはり省略する。
【０１９０】
図４８を参照すると、棚１００を支持するために、冷蔵庫の側壁１５ａ、１５ｂはサポータ（supporter）１５ｃ、１５ｄを含むことができる。より詳細には、左側サポータ１５ｃは左側壁１５ａから貯蔵室２の内側に所定長さで伸び、同様に右側サポータ１５ｄは右側壁１５ｂから貯蔵室２の内側に所定長さで伸びることができる。また、棚１００の左右側部は上記左右側サポータ１５ｃ、１５ｄ上に置かれ、これによって棚１００は冷蔵庫内に安定的に支持されることができる。このように、サポータ１５ｃ、１５ｄと棚１００の左右側部とが互いに向き合うので、送信部２００及び受信部３００は向き合う左側サポータ１５ｃ／棚の左側部又は右側サポータ１５ｄ／棚の右側部に取り付けられることができる。例えば、図４８に示したように、右側サポータ１５ｄに送信部２００が取り付けられる場合、受信部３００はこれと向き合うように棚の右側部に取り付けられることができる。より詳細には、サポータ１５ｄは長さに比べて相対的に小さい幅を有するので、送信部２００はこのようなサポータ１５ｄの形状によって小さい幅を有することができる。送信部２００はサポータ１５ｄの上部のどの部位にも取り付けられることができる。しかし、使用者の目に見えないように、サポータ１５ｄの前方部よりは中央部又は後方部に配置されることができる。また、図４９に示したように、棚１００の右側部には右側レール１１３ｂが配置されるので、受信部３００は送信部２００と向き合うように右側レール１１３ｂの下面（すなわち、底面）上に取り付けられることができる。また、送信部２００がサポータ１５ｄの後方部に配置される場合、このような送信部２００と向き合うようにレール１１３ｂの下面の後方部上に配置されることができる。前方に配置された光源部１４０と受信部３００との間の電気的接続のために、レール１１３ｂが用いられることができる。このような電気的接続のために、図４５で説明したような第１及び第２接続部１２４、１２５が同様にレール１１３ｂに適用されることができ、レール１１３ｂは伝導性素材でなることができる。同様に、漏電及び感電を防止するために、例えば図４５の接点１２４ａ、１２４ｂ、１２５ａ、１２５ｂのような電気的接点を除いたレール１１３ｂの残りの表面は絶縁物質で塗布されることができる。レール１１３ｂの代わりに、前述したような配線１４２ｃ、１４２ｄを介して、受信部３００と光源部１４０とが互いに電気的に接続されることもできる。また、外部物質及び水分から保護するために、前述したカバー１３０、１２６のような保護部材が適用されることもできる。
【０１９１】
一方、図５１を参照すると、側壁１５に支持される棚１００においても、送信部２００は後壁１３に配置されることができる。図５０は後壁１３の中央部に配置された送信部２００を示すが、送信部２００は棚１００の後方部に近接して後壁１３のどの部位にも配置されることができる。図５０及び図５１に共に示すように、棚１００の後方部には受信部３００を支持するためのブラケット１００ｆが提供されることができる。このようなブラケット１００ｆは、図５１によく示したように、棚１００の後方末端から下方に所定長さで伸びることができる。このようなブラケット１００ｆに受信部３００が送信部２００と向き合うように取り付けられることができる。先に図４８及び図４９の例でも説明したように、前方に配置された光源部１４０と受信部３００との間の電気的接続のために、レール１１３ａ、１１３ｂのいずれか一つが用いられることができる。また、図４５で説明したような第１及び第２接続部１２４、１２５が同様にレール１１３ａ、１１３ｂのいずれか一つに適用されることができ、該当のレールは伝導性素材でなることができる。電気的接点を除いた、電気的接続のためのレール１１３ａ又は１１３ｂの残りの表面は絶縁物質で塗布されることができる。一方、配線１４２ｃ、１４２ｄを介して、受信部３００と光源部１４０とが互いに電気的に接続されることもできる。また、外部物質及び水分から配線１４２ｃ、１４２ｄ、受信部３００、接続部１２４、１２５などを保護するために、前述したカバー１３０、１２６のような保護部材が適用されることもできる。
【０１９２】
前述したような図４８〜図５１の構成によって、側壁１５に支持される棚１００でも送信部及び受信部２００、３００によって効果的に光源部１４０に電力を供給することができる。
【０１９３】
一方、前述した冷蔵庫の構成は、棚１００の光源部１４０に必要とされる電力を無線で供給することができる。しかし、より向上した機能を提供するためには、冷蔵庫の構造及び特性を考慮した適切な制御を適用する必要がある。また、そのような制御の最適化は意図した機能的向上をより効果的で効率的に達成することができる。このような理由で、前述した冷蔵庫に対する制御方法が開発され、これについて以下で関連図面に基づいて説明する。特に反対する説明がない限り、先に参照した図面及びこれについての説明は次の制御方法の説明及び図面に基本的に含まれて参照される。
【０１９４】
以下で説明する制御方法は前述した構成要素、つまり多様な部品の動作（作動）（operations）を制御し、このような動作に基づいて意図した機能を提供することができる。よって、制御方法に関連した動作及び機能は制御方法の特徴だけでなく全ての関連した該当の構造的構成要素の特徴とも見なすことができる。また、制御部はプロセッサ（processor）、制御器（controller）及び制御装置（controlling device）などの多様な名称で呼ばれることができ、所定の動作を行うために冷蔵庫の全ての構成要素を制御することができる。よって、制御部は実質的に本出願で以下で説明する全ての方法及びモードを実質的に制御し、これによって以後に説明する全ての段階は制御部の特徴となることができる。このような理由で、たとえ制御部又は冷蔵庫によって行われるものとして明確に説明しなかったとしても、以下の段階及びこれらの詳細な特徴はいずれも制御部又は冷蔵庫の特徴として理解されなければならない。
【０１９５】
図１５は、本出願による冷蔵庫を示すブロック図である。また、図５４はドアが開くときの光源を制御する方法を示すフローチャート、図５５はドアが閉まるときの光源を制御する方法を示すフローチャートである。
【０１９６】
図１５を参照すると、冷蔵庫の構成を制御的側面で説明することができる。まず、冷蔵庫はドア２０、４０の開閉を感知するドアスイッチ６０を有することができる。開閉を感知するために、上記ドアスイッチ６０はドア２０、４０に近接して配置されることができる。上記ドアスイッチ６０は、上記第１ドア２０の開閉を感知する第１ドアスイッチ、及び上記第２ドア４０の開閉を感知する第２ドアスイッチを含むことができる。
【０１９７】
上記ドアスイッチ６０で感知された信号は制御部７０に伝達されることができる。上記制御部７０は、上記ドアスイッチ６０で受信した信号によって、上記ドア２０、４０の開閉を感知することができる。上記制御部７０は電力を伝送することができる送信部２００に電力を供給することができる。ここで、制御部７０は、ドアが開放された場合に限って、送信部２００に電力を供給することができる。
【０１９８】
送信部２００は、前述したように、複数取り付けられることができる。制御部１００は、ドアが開放されるとき、複数の送信部２００の全てに電力を供給するか、あるいは複数の電力送信部１１０の一部にのみ電力を供給することができる。電力は送信部２００から受信部３００に無線で伝達されることができる。受信部３００で受信した電力は光源部１４０に伝達され、光が光源部１４０から照射されることができる。
【０１９９】
このような冷蔵庫の構成に基づく具体的な制御方法を図５４及び図５５に基づいて以下で説明する。
【０２００】
図５４を参照すると、まず、ドア２０、４０が開放されれば、ドアスイッチ６０は上記ドア２０、４０の開放を感知することができる（Ｓ１１）。
【０２０１】
上記感知段階（Ｓ１１）の後、制御部７０は送信部２００に電力を供給することができる（Ｓ１２）。このような供給段階（Ｓ１２）で、ドア２０、４０が開放されたことが感知されれば、複数の送信部２００の全てに電力が供給されることができる。
【０２０２】
一方、制御部７０は複数の送信部２００の一部に選択的に電力を供給することができる。より詳細には、開放されるドアによって露出される棚１００のみが光を照射することができるように、このような露出される棚１００に接続された送信部２００にのみ電力が供給されることができる。すなわち、ドアによって露出される側部１５に配置される送信部２００のみが電力を受けることができる。例えば、左側に配置された第１ドア２０が開放される場合、露出される左側部の棚のみが光を照射するように、左側壁１５に取り付けられた送信部２００にのみ電力が供給されることができる。
【０２０３】
また、受信部３００が近接して配置されなかった状態で、送信部２００を介して電磁波が発生すれば、近くの金属素材の容器が誘導加熱効果によって加熱されることができ、貯蔵された食品が損傷されることがあり得る。このような現象を防止するために、送信部２００への選択的な電力供給の他の例として、電力受信部３００と向い合わない送信部２００には供給されない。すなわち、受信部３００と向き合う送信部２００にのみ電力が供給されることができる。このような選択的な供給のために、制御部１００は送信部２００で受信される電磁波の周波数の変化を感知し、受信部２００と向い合わない送信部２００を検出することができる。より詳細には、送信部２００は電磁波を伝送するだけでなく一部の電磁波を受信することもできる。受信部３００と向き合う送信部２００は電力伝送のための共振によって大きな周波数の変化を感知する反面、受信部３００と向い合わない送信部２００は小さな周波数の変化のみを感知する。すなわち、受信部３００と向い合わない送信部２００では低周波帯域の電磁波が受信されることができる。よって、制御部７０は、送信部２００から伝送された後に再び受信される電磁波の周波数が小さく変化する場合、該当の送信部２００に供給された電力を遮断することができる。
【０２０４】
上記供給段階１２の後、受信部３００では電磁誘導などによって電力が受信されることができる（Ｓ１４）。上記受信部３００で受信された電力（power）は電流に変化して光源部１４０に伝達され、これによって上記光源部１４０は光を照射することができる（Ｓ１６）。初めからとても強い光を照射すれば、使用者に眩しさを引き起こすことができる。よって、上記照射段階（Ｓ１６）で、上記光源部１４０から照射される光の強度は時間の経過につれて次第に増加するように制御され、これによって使用者が光に慣れることができる時間を与えることができる。
【０２０５】
一方、送信部２００の電磁波は大部分が受信部３００に伝送されるが、一部は金属容器を加熱し、容器内の食品を損傷させることができる。このような誘導加熱を防止するため、ドア２０、４０の開放後に所定時間の間にだけ送信部２００に電力を供給することができる。すなわち、ドア２０、４０の開放後に所定時間が経てば、送信部２００への電源供給が中断されることができる。このような電源供給の中断は、誘導加熱を防止するために、ドア２０、４０がずっと開放しているとしても所定時間の経過後に行われる。例えば、ドア２０、４０の開放後に７分が経過すれば、送信部２００への電源供給が中断されることができる。送信部２００に電力が供給されなければ、受信部３００に電磁波が伝送されないので、誘導加熱を防止することができる。また、送信部２００に電力が供給されなければ、光源部１４０もオフされることができる。このような場合、使用者が故障を疑わないように、電力遮断及び光源部１４０のオフを使用者に通知することができる。このような通知は多様な方法で行うことができる。例えば、アラーム、光、音声などを通知のために使うことができる。
【０２０６】
一方、図５５を参照すると、ドア２０、４０が閉まれば、ドアスイッチ７０でドアの閉鎖を感知することができる（Ｓ２１）。その後、制御部７０は全ての送信部２００への電力供給を遮断する（Ｓ２２）。送信部２００で電磁波が発生しないから、受信部３００でも電力を受信することができなく（Ｓ２４）、光源部１４０もオフされる（Ｓ２６）。
【０２０７】
上記詳細な説明は全ての面で制限的に解釈されてはならず、例示的なものとして見なされなければならない。本出願の範囲は添付の請求項の合理的解釈によって決定されなければならず、本出願の等価的範囲内での全ての変更は本出願の範囲に含まれる。
【図１】
2019502080.tif 000003
【図２】
2019502080.tif 000004
【図３】
2019502080.tif 000005
【図４】
2019502080.tif 000006
【図５】
2019502080.tif 000007
【図６】
2019502080.tif 000008
【図７】
2019502080.tif 000009
【図８】
2019502080.tif 000010
【図９】
2019502080.tif 000011
【図１０】
2019502080.tif 000012
【図１１】
2019502080.tif 000013
【図１２】
2019502080.tif 000014
【図１３】
2019502080.tif 000015
【図１４】
2019502080.tif 000016
【図１５】
2019502080.tif 000017
【図１６ａ】
2019502080.tif 000018
【図１６ｂ】
2019502080.tif 000019
【図１６ｃ】
2019502080.tif 000020
【図１６ｄ】
2019502080.tif 000021
【図１７】
2019502080.tif 000022
【図１８】
2019502080.tif 000023
【図１９】
2019502080.tif 000024
【図２０ａ】
2019502080.tif 000025
【図２０ｂ】
2019502080.tif 000026
【図２１】
2019502080.tif 000027
【図２２】
2019502080.tif 000028
【図２３（ａ）】
2019502080.tif 000029
【図２３（ｂ）】
2019502080.tif 000030
【図２４】
2019502080.tif 000031
【図２５】
2019502080.tif 000032
【図２６ａ】
2019502080.tif 000033
【図２６ｂ】
2019502080.tif 000034
【図２７】
2019502080.tif 000035
【図２８】
2019502080.tif 000036
【図２９】
2019502080.tif 000037
【図３０ａ】
2019502080.tif 000038
【図３０ｂ】
2019502080.tif 000039
【図３１】
2019502080.tif 000040
【図３２】
2019502080.tif 000041
【図３３】
2019502080.tif 000042
【図３４ａ】
2019502080.tif 000043
【図３４ｂ】
2019502080.tif 000044
【図３５】
2019502080.tif 000045
【図３６ａ】
2019502080.tif 000046
【図３６ｂ】
2019502080.tif 000047
【図３６ｃ】
2019502080.tif 000048
【図３６ｄ】
2019502080.tif 000049
【図３６ｅ】
2019502080.tif 000050
【図３７】
2019502080.tif 000051
【図３８】
2019502080.tif 000052
【図３９】
2019502080.tif 000053
【図４０ａ】
2019502080.tif 000054
【図４０ｂ】
2019502080.tif 000055
【図４１ａ】
2019502080.tif 000056
【図４１ｂ】
2019502080.tif 000057
【図４１ｃ】
2019502080.tif 000058
【図４１ｄ】
2019502080.tif 000059
【図４１ｅ】
2019502080.tif 000060
【図４２】
2019502080.tif 000061
【図４３ａ】
2019502080.tif 000062
【図４３ｂ】
2019502080.tif 000063
【図４３ｃ】
2019502080.tif 000064
【図４４】
2019502080.tif 000065
【図４５】
2019502080.tif 000066
【図４６】
2019502080.tif 000067
【図４７】
2019502080.tif 000068
【図４８】
2019502080.tif 000069
【図４９】
2019502080.tif 000070
【図５０】
2019502080.tif 000071
【図５１】
2019502080.tif 000072
【図５２】
2019502080.tif 000073
【図５３】
2019502080.tif 000074
【図５４】
2019502080.tif 000075
【図５５】
2019502080.tif 000076
【国際調査報告】
2019502080.tif 000077
2019502080.tif 000078
2019502080.tif 000079
2019502080.tif 000080